(57)【要約】  本発明は、心電図（ＥＣＧ）を獲得するために心臓の電気活動を測定するための手段と、標的ゾーン（Ｚｃ）上に集束された集束超音波信号（Ｆｕｓ）のビームを生成するための手段であって、前記信号が、心臓のゾーン内で電気刺激を生成するなどのために較正され、前記ビーム生成が心電図（ＥＣＧ）の第１の選択された時間と同期され、ビームの生成が、持続時間が８０ｍｓよりも短いパルスに対応する、生成するための手段と、標的ゾーン（Ｚｃ）内の集束超音波信号（Ｆｕｓ）の前記ビームを制御するように集束ビーム（Ｆｕｓ）を生成するための手段を位置決めするための手段に結合された標的ゾーン（Ｚｃ）を位置特定するための手段であって、集束信号（Ｆｕｓ）のビームを生成するための手段と同期された前記位置特定手段と、標的ゾーン（Ｚｃ）内の温度および組織変形をリアルタイムで追従することが可能な単一モニタリング手段であって、心電図の調律と同期して測定を行う前記モニタリング手段とを備える超音波心臓刺激システムに関する。
2017532090.tif 000002
【特許請求の範囲】
【請求項１】
心臓のゾーンの刺激のために集束信号を較正するための方法であって、
−  心臓の心電図（ＥＣＧ）の少なくとも１つの周波数の獲得と、
−  標的ゾーン（ＺＣ）が位置特定された心臓の領域の少なくとも１つの画像の獲得であって、前記少なくとも１つの画像が、心臓の心電図（ＥＣＧ）から獲得された周波数と同期してイメージングシステムにより獲得される、獲得と、
−  標的ゾーン（ＺＣ）上に集束された集束超音波信号の第１のビーム（ＦＵＳ）の生成であって、前記ビームがフェーズドアレイ（ＲＥＳ＿ＵＳ）によって放出され、前記信号が、集束ゾーン（ＺＦ）において少なくとも１つのパルスを生成するように同位相で構成され、前記少なくとも１つのパルスが、心臓の心電図（ＥＣＧ）から獲得された周波数と同期され、パルスが、あらかじめ定義された振幅および持続時間を有する、生成と、
−  イメージングシステムによる少なくとも１つの画像の獲得からの集束ゾーン（ＺＦ）の温度の決定と、
−  第１の集束ビーム（ＦＵＳ）の少なくとも１つのパルスに応答した集束ゾーン（ＺＦ）内の組織変形の決定であって、パルスの振幅および／または持続時間が、前記変形が破壊閾値（Ａｄｅｓｔｒｕ）よりも小さいように構成される、決定と
を含むことを特徴とする方法。
【請求項２】
−  標的ゾーンの新しい位置を計算するために、フェーズドアレイ（ＲＥＳ＿ＵＳ）に結び付けられた基準フレーム内の心臓の呼吸運動に結び付けられた変位を測定し、それから補償パラメータを推論することを可能にする位置決めシステム（ＳＹＳ＿ＰＯＳ）による標的ゾーン（ＺＣ）の位置に対する集束ゾーン（ＺＦ）の位置の動的制御であって、前記フェーズドアレイ（ＲＥＳ＿ＵＳ）が、ビームを標的ゾーン（ＺＣ）の新しい位置に偏向させるために位相パラメータを各信号に自動的に適用する、動的制御
を含むことを特徴とする、請求項１に記載の方法。
【請求項３】
−  フェーズドアレイの位置および配向を考慮に入れることによって、フェーズドアレイ（ＲＥＳ＿ＵＳ）の画像平面内に投影された経肋骨壁の画像を、イメージングシステムにより決定すること、
−  経肋骨壁の投影された画像の位置に対するフェーズドアレイの要素の位置に従って、前記要素をアクティブ化および／または非アクティブ化すること
を含むことを特徴とする、請求項１または２に記載の方法。
【請求項４】
−  信号の各々に適用された各位相パラメータの計算に応じて、フェーズドアレイ（ＲＥＳ＿ＵＳ）の要素の非アクティブ化およびアクティブ化を動的に制御すること
を含むことを特徴とする、請求項１から３のいずれか一項に記載の方法。
【請求項５】
集束ゾーン（ＺＦ）内の温度および組織変形が単一イメージングシステムによって決定され、前記イメージングシステムがＭＲＩイメージングシステムであり、ＭＲＩイメージングシステムによって獲得されるデータによって、超音波信号のビームによって生成された超音波圧力によって誘発された組織の局所的変形および超音波信号のビームによって局所的に生成されたエネルギーによって誘発された局所的な温度上昇を推論することが可能になることを特徴とする、請求項１から４のいずれか一項に記載の方法。
【請求項６】
イメージングシステムによって決定された集束ゾーン（ＺＦ）の位置と位置決めシステムによって決定された標的ゾーン（ＺＣ）の位置の比較によって、集束ゾーンの位置を標的ゾーンの位置と対応させるようにフェーズドアレイの要素を較正するための少なくとも１つのデータが生成されることを特徴とする、請求項１から５のいずれか一項に記載の方法。
【請求項７】
位置決めシステムが、
−  位置が画像処理から計算されるＭＲＩイメージングシステム、
−  または、超音波を放出する少なくとも１つの放出器と、反射波を検出する複数の超音波センサとを備え、位置が三角測量によって決定される、位置決めシステム
のどちらかであることを特徴とする、請求項１から６のいずれか一項に記載の方法。
【請求項８】
−  第１の集束ビーム（ＦＵＳ）の少なくとも１つのパルスに応答した、集束ゾーン（ＺＦ）内またはそれに近いキャビテーションのレベル、
−  標的ゾーン（ＺＣ）内での少なくとも１つの超音波パルスの印加によって誘発される電気的脱分極によって生成される電気活動の測定、
−  少なくとも１つのパルスに応答した集束ゾーン（ＺＦ）内の電気活動の測定
のうちの少なくとも１つの測定を含むことを特徴とする、請求項１から７のいずれか一項に記載の方法。
【請求項９】
−  集束ゾーン（ＺＦ）内および／もしくは隣接ゾーン内および／もしくは経肋骨壁の肋骨内の温度設定ポイント、ならびに／または
−  集束ゾーン（ＺＦ）内の組織変形設定ポイント、ならびに／または
−  集束ゾーン（ＺＦ）内のキャビテーション設定ポイントのレベル、ならびに／または、
−  フェーズドアレイに結び付けられた基準ポイントにおける集束ゾーンの移動に結び付けられた少なくとも１つの変位の検出、ならびに／または
−  集束ゾーン（ＺＦ）内の電気活動設定ポイント
のうちの少なくとも１つのデータに応じて、パルスの振幅（Ａ）および持続時間（Ｄ１）の少なくとも１つのレベルを含むパラメータの定義により、集束ゾーン（ＺＦ）内で生成された信号を較正することを含むことを特徴とする、請求項１から８のいずれか一項に記載の方法。
【請求項１０】
集束ビーム（ＦＵＳ）によって生成され、標的ゾーン（ＺＣ）内またはその近くで測定される電気活動が、イメージングシステムによって取得された同じ標的ゾーン（ＺＣ）内の組織変形の測定と相関され、前記相関によって、所与の標的ゾーン（ＺＣ）の心臓組織の機械−電気活動のインジケータを決定することが可能になることを特徴とする、請求項８または９に記載の方法。
【請求項１１】
複数のパルスを含む第１の集束信号（ＦＵＳ）の較正を含み、各パルスが第１の持続時間（Ｄ１）、振幅を有し、前記信号が標的ゾーン（ＺＣ）内で持続時間（Ｄ２）にわたって印加されることを特徴とする、請求項１から１０のいずれか一項に記載の方法。
【請求項１２】
モニタリング方法のステップが心臓の異なる標的ゾーン（ＺＣ）内で実行され、方法が、集束信号（ＦＵＳ）のビームの印加後、
−  各標的ゾーン（ＺＣ）の組織変形、または各標的ゾーン（ＺＣ）の近くもしくはその中で測定される電気レベル、のどちらかを表す異なる値の読み取りと、
−  各標的ゾーン（ＺＣ）の電気的応答または変形の回数の読み取りと、
−  請求項１１に記載の信号の各標的ゾーン（ＺＣ）のための較正であって、前記信号が互いと構成され、時間遅延が応答時間の読み取りに依存する、較正と
をさらに含むことを特徴とする、請求項１から１１のいずれか一項に記載の方法。
【請求項１３】
集束超音波信号（ＦＵＳ）のビームの生成による心臓の所与のゾーンの電気刺激のための方法であって、
−  心臓の心電図（ＥＣＧ）の少なくとも１つの周波数の獲得と、
−  心臓内の標的ゾーン（ＺＣ）の少なくとも１つの位置の決定と、
−  集束超音波信号（ＦＵＳ）のビームの生成であって、心電図（ＥＣＧ）の調律と同期して行われ、
−  パルスの振幅が、集束ゾーン（ＺＦ）内で印加される音圧が［２−１２ＭＰａ］という圧力の第１の範囲（ＧＰ１）に含まれるように構成され、
−  パルスの持続時間が、［５０μｓ−５０ｍｓ］という持続時間の第１の範囲（ＧＤ１）に含まれ、
−  集束ビーム（ＦＵＳ）の印加の持続時間が５０μｓよりも長い、生成と、
−  位置決めシステムによってリアルタイムで計算される標的ゾーン（ＺＣ）の位置に対するビームの焦点ゾーン（ＺＦ）の位置の制御と、
−  リアルタイムでのアクティブモニタリングであって、
−  所定の閾値を超えない、画像の獲得からの集束ゾーン（ＺＦ）内の温度、
−  あらかじめ定義された値の範囲に含まれる各パルス後に測定された集束ゾーン（ＺＦ）内の、イメージングシステムからのあらかじめ定義された値の範囲に含まれる各パルス後の組織変形、および／または電気活動、および／またはキャビテーションのレベル、
−  集束ビーム（ＦＵＳ）のパルスの調律との心電図の調律の同期の関係を保証する同期パラメータ
のアクティブモニタリングと
を含むことを特徴とする方法。
【請求項１４】
パルスの振幅が、集束ゾーン（ＺＦ）内で印加される音圧が、持続時間の第２の範囲（ＧＤ２）［１ｍｓ−５０ｍｓ］に含まれるパルス持続時間にわたって［２−８ＭＰａ］という圧力の第２の範囲（ＧＰ２）に含まれるように構成され、前記生成されるパルスが、閾値よりも低い心臓組織の機械的変形の閾値を維持しながら、電気刺激を引き起こし、前記閾値が、組織の収縮または弛緩または弾性の所与の比率に対応するパラメータから計算されることを特徴とする、請求項１３に記載の刺激方法。
【請求項１５】
パルスの振幅が、集束ゾーン（ＺＦ）内で印加される音圧が、［５０μｓ−１ｍｓ］という持続時間の第３の範囲（ＧＤ３）に含まれるパルス持続時間にわたって［６−１２ＭＰａ］という圧力の第３の範囲（ＧＰ３）に含まれるように構成され、前記生成されるパルスが、温度閾値（Ｔｍａｘ）を下回る温度閾値を標的ゾーン（ＺＣ）内で局所的に維持しながら、心臓組織内で電気刺激を引き起こすことを特徴とする、請求項１３に記載の刺激方法。
【請求項１６】
集束ゾーン（ＺＦ）に隣接するゾーン（ＺＶ）の第２のモニタリングが実行され、前記第２のモニタリングが、リアルタイムで、以下のパラメータ、すなわち、
−  集束ゾーン（ＺＦ）に隣接する少なくとも１つのゾーン（ＺＶ）の温度と、
−  第１の集束ビーム（ＦＵＳ）の少なくとも１つのパルスに応答した、集束ゾーン（ＺＦ）に隣接する少なくとも１つのゾーン（ＺＶ）内の組織変形と、
−  第１の集束ビーム（ＦＵＳ）の少なくとも１つのパルスに応答した、集束ゾーン（ＺＦ）に隣接する少なくとも１つのゾーン（ＺＶ）内の電気活動と、
−  第１の集束ビーム（ＦＵＳ）の少なくとも１つのパルスに応答した、集束ゾーン（ＺＦ）に隣接する少なくとも１つのゾーン（ＺＶ）内のキャビテーションのレベルと
のうちの少なくとも１つを測定することを含むことを特徴とする、請求項１３から１５のいずれか一項に記載の刺激方法。
【請求項１７】
超音波心臓刺激システムであって、
−  心電図（ＥＣＧ）の獲得のために心臓の電気活動を測定するための手段と、
−  標的ゾーン（ＺＣ）内で集束超音波信号（ＦＵＳ）のビームを生成するための手段であって、前記信号が、心臓のゾーン内で電気刺激を生成するなどのために較正され、前記ビーム生成が心電図（ＥＣＧ）の第１の選択された時間と同期され、ビーム生成が、持続時間が８０ｍｓよりも短いパルスに対応する、生成するための手段と、
−  標的ゾーン（ＺＣ）内の集束超音波信号（ＦＵＳ）の前記ビームを制御するように集束ビーム（ＦＵＳ）を生成するための手段を位置決めするための手段に結合された標的ゾーン（ＺＣ）を位置特定するための手段であって、集束信号（ＦＵＳ）のビームを生成するための手段と同期された前記位置特定する手段と、
−  標的ゾーン（ＺＣ）内の温度および組織変形をリアルタイムで追従することが可能な単一モニタリング手段であって、心電図の調律と同期して測定を行う前記モニタリング手段と
を備える、超音波心臓刺激システム。
【請求項１８】
集束ゾーン内またはその近くのキャビテーションのレベル（ＡＣＱ＿ＣＡＶ）を検出するための超音波デバイス（ＳＹＳ＿ＣＡＶ）が、超音波信号のビームを生成するための手段によって放出された反射波を、超音波センサのおかげで測定しており、キャビテーションのレベル（ＡＣＱ＿ＣＡＶ）が、あらかじめ定義された損傷閾値と比較されることを特徴とする、請求項１７に記載の超音波心臓刺激システム。
【請求項１９】
位置決めシステムおよび温度をモニタするための手段が単一のＭＲＩイメージングシステムであることを特徴とする、請求項１７に記載の超音波心臓刺激システム。
【請求項２０】
超音波心臓刺激システムであって、
−  心電図（ＥＣＧ）を獲得するために心臓の電気活動を測定するための手段と、
−  標的ゾーン（ＺＣ）内の集束超音波信号（ＦＵＳ）のビームを生成するための手段であって、前記信号が、心臓のゾーン内で電気刺激を生成するなどのために較正され、前記ビーム生成が心電図（ＥＣＧ）の第１の選択された時間と同期される、生成するための手段と、
−  標的ゾーン（ＺＣ）内の集束超音波信号（ＦＵＳ）の前記ビームを制御するように、集束ビーム（ＦＵＳ）を生成するための手段を位置決めするための手段に結合された、標的ゾーン（ＺＣ）を位置特定するための手段であって、集束信号（ＦＵＳ）のビームを生成するための手段と同期された前記位置特定する手段と、
−  標的ゾーン（ＺＣ）内の温度および組織変形をリアルタイムで追従することが可能な単一モニタリング手段であって、心電図の調律と同期して測定を行う前記モニタリング手段と
を備え、
請求項１から１６のいずれか一項に記載のプロセスのステップを実施することを特徴とする
システム。
【請求項２１】
携帯超音波心臓刺激デバイスであって、超音波信号（ＲＥＳ＿ＵＳ）の発生器であることが必要な場合、少なくとも心拍周波数を示す心臓活動の測定を可能にする電気システム（ＳＹＳ＿ＥＬＥＣ＿１）を備える患者の皮膚と接触して固定されることを意図されており、機械的影響センサ（ＣＡＰＴ＿ＣＯＮＴＲＡＣＴ）が、心臓の収縮（ＡＣＱ＿ＣＯＮＴＲＡＣＴ）の存在を測定することを可能にし、前記携帯超音波心臓刺激デバイスが、電気システム（ＳＹＳ＿ＥＬＥＣ＿１）によって獲得される心臓周波数と同期可能な超音波信号の少なくとも１つのパルス列を定義する少なくとも１つの事前構成を備え、超音波信号の発生器をアクティブ化させるための手段を備える、デバイス。
【発明の詳細な説明】
【技術分野】
【０００１】
本発明の分野は、超音波信号を生成するためのシステムを較正するための方法、および心臓のさまざまな領域の刺激に対するそのモニタリングのための方法に関する。より詳細には、本発明は、集束超音波信号のフェーズドアレイによる心臓刺激のための方法に関する。本発明は、超音波による刺激のさまざまな適用、特に、心室もしくは心耳の心臓再同期、心室細動もしくは心耳細動の発生、期外収縮の発生、心臓の不応答ゾーンの検出、または心調律変更の適用に関する。
【背景技術】
【０００２】
今日、心調律障害を治療することを可能にするさまざまな解決策が存在する。心臓のこれらの機能障害を治療するために、超音波を使用して心臓組織を刺激することが知られている。刺激は、集束信号のフェーズドアレイによる超音波信号の体外発生によって行われ得る。
【０００３】
生成される超音波信号のモニタリングは、治療する領域を正確に決定して治療し、それによって心臓の標的領域または隣接する領域の望ましくない損傷を回避するために不可欠である。
【０００４】
このために、特許ＵＳ２００６／００５２６５は、心臓の電気活動を測定する心電計とイメージングシステムの結合によって制御される超音波による心臓刺激に関する。本特許出願は特に、心臓のいくつかの地点における刺激への応答を位置特定することを可能にする超音波イメージングシステムを引き合いに出す。
【０００５】
この解決策によって、心臓の刺激を調整することが可能になる。超音波信号の強度は特に、組織の劣化を回避するために、まず第一に低パワーの超音波信号の発生、次いでそれを少しずつ増加させることによって制御される。
【０００６】
この方法の欠点は、この方法によって、刺激によって引き起こされる熱的損傷および機械的損傷を定量化することが可能にならないことである。
【０００７】
そのうえ、従来技術から知られている解決策の別の問題は、この解決策によって、標的ゾーン内で熱的損傷を生成することなく心臓刺激を生み出すことのできる超音波信号の構成を生成することが可能にならないことである。
【先行技術文献】
【特許文献】
【０００８】
【特許文献１】米国特許出願公開第２００６／００５２６５号明細書
【発明の概要】
【発明が解決しようとする課題】
【０００９】
本発明は、前述の欠点を克服することを目的とする。特に、本発明は、超音波集束信号のフェーズドアレイまたは超音波信号の発生器に対する心臓のゾーンの曝露後の心臓組織の機械的損傷および熱的損傷を測定または予期することを可能にする。本発明の一実施形態の特殊性は、組織の損傷を防止するために集束ゾーンと実質的にマージされたまたはそれに近いゾーン内での温度および／またはその変動をモニタすることである。
【課題を解決するための手段】
【００１０】
本発明の主題は、心臓のゾーンをモニタするための方法に関する。この方法は、以下を含む：
−  心臓の心電図の調律の獲得と、
−  標的ゾーンが位置特定された心臓の領域の少なくとも１つの画像の獲得であって、前記少なくとも１つの画像が、イメージングシステムによって心臓の心電図の調律と同期して獲得される、獲得と、
−  標的ゾーン内の集束超音波信号の第１のビームの生成であって、前記ビームがフェーズドアレイによって放出され、前記信号が、集束ゾーンにおいて少なくとも１つのパルスを生成するように同位相で（ｉｎ  ｐｈａｓｅ）構成され、前記少なくとも１つのパルスが心臓の心電図（ＥＣＧ）の調律と同期され、パルスが、あらかじめ定義された振幅および持続時間を有する、生成と、
−  イメージングシステムによる少なくとも１つの画像の獲得からの集束ゾーンの温度の決定と、
−  第１の集束ビームの少なくとも１つのパルスに応答した、集束ゾーン内での組織変形の決定。
【００１１】
別の実施形態によれば、本発明は、第１の集束ビームの少なくとも１つのパルスに応答した、集束ゾーン内でキャビテーションのレベルを決定するステップを含む。このステップは、あらかじめ示された組織変形を決定するステップの代わりに実行され得る。さらに、このステップはまた、組織変形の決定と一緒に行われてもよい。後者の場合、２つの測定は、刺激されたゾーンを限定する（ｑｕａｌｉｆｙ）ために確証（ｃｏｒｒｏｂｏｒａｔｅ）され得る。
【００１２】
そのような方法の利点は、心臓刺激中に適切な振幅および持続時間を生成しながら、超音波信号のビームを較正するために、標的ゾーン内の温度、組織変形および／または電気活動および／またはキャビテーションのレベルなどの特定のパラメータのモニタリングを実行することである。
【００１３】
本発明のプロセスの一実施形態の利点は、超音波スラストに結び付けられた温度に関する情報および組織の変位に関する情報を取得することを可能にするＭＲＩイメージングデバイスの使用である。本発明のプロセスは、したがって、機器の単一アイテムを用いて、何らかの損傷の視覚的モニタリングを実行し、集束信号のフェーズドアレイを制御することを可能にする。
【００１４】
別の実施形態によれば、エコーグラフシステムなどのイメージングシステムが、集束ゾーンのレベルにおいて、集束ゾーンに隣接するゾーン内で温度情報を取得することを可能にする。
【００１５】
一実施形態によれば、モニタリング方法は、以下を含む：
−  少なくとも１つのパルスに応答した集束ゾーン内での電気活動の決定であって、前記少なくとも１つのパルスが１ｍｓ以下の持続時間を有する、決定。
【００１６】
一実施形態によれば、モニタリング方法は、以下を含む：
−  標的ゾーンの新しい位置を計算するために、フェーズドアレイに結び付けられた基準フレーム内の心臓の呼吸運動を測定し、それから補償パラメータを推論することを可能にする位置決めシステムによる標的ゾーンの位置に対する集束ゾーンの位置の動的制御であって、前記フェーズドアレイが、ビームを標的ゾーンの新しい位置に偏向させるために位相パラメータを各信号に自動的に適用する、動的制御。
【００１７】
一実施形態によれば、モニタリング方法は、以下を含む：
−  フェーズドアレイの位置および配向を考慮に入れることによって、フェーズドアレイの画像平面内に投影された経肋骨壁（ｔｒａｎｓｃｏｓｔａｌ  ｗａｌｌ）の画像を、イメージングシステムにより決定すること、
−  経肋骨壁の投影された画像の位置に対するフェーズドアレイの各要素の位置に従って、前記要素をアクティブ化および／または非アクティブ化すること。
【００１８】
一実施形態によれば、モニタリング方法は、以下を含む：
−  信号の各々に適用された各位相パラメータの計算に応じて、フェーズドアレイの要素の非アクティブ化およびアクティブ化を動的に制御すること。
【００１９】
一実施形態によれば、集束ゾーン内の温度および組織変形が単一イメージングシステムによって決定され、前記イメージングシステムがＭＲＩイメージングシステムであり、ＭＲＩ画像診断システムによって獲得されるデータによって、超音波信号のビームによって生成された超音波圧力によって誘発された組織の局所的変形および超音波信号のビームによって局所的に生成されたエネルギーによって誘発された局所的な温度上昇を推論することが可能になる。
【００２０】
一実施形態によれば、イメージングシステムによって決定された集束ゾーンの位置と位置決めシステムによって決定された標的ゾーンの位置の比較によって、集束ゾーンの位置を標的ゾーンの位置と対応させるようにフェーズドアレイの要素を較正するための少なくとも１つのデータが生成される。
【００２１】
一実施形態によれば、位置決めシステムは特に、以下であってよい：
−  位置がイメージング処理から計算されるＭＲＩイメージングシステム、
−  または、超音波を放出する少なくとも１つの放出器と、反射波を検出する複数の超音波センサとを備え、位置が三角測量によって決定される、位置決めシステム
のどちらか。
【００２２】
この位置決めシステムは有利には、モニタリングプロセスおよび刺激プロセスのために使用される。
【００２３】
一実施形態によれば、モニタリング方法は、標的ゾーン内での少なくとも１つの超音波パルスの印加によって誘発される電気的脱分極によって生成される電気活動の測定を含む。
【００２４】
一実施形態によれば、モニタリング方法は、以下のうちの少なくとも１つのデータに応じて、パルスの振幅および持続時間の少なくとも１つのレベルを含むパラメータを定義することによって、集束ゾーン内で生成された信号を較正することを含む：
−  集束ゾーン内および／もしくは隣接ゾーン内および／もしくは経肋骨壁の肋骨内の温度設定ポイント、ならびに／または
−  集束ゾーン内の組織変形設定ポイント、ならびに／または
−  集束ゾーン内のキャビテーション設定ポイントのレベル、ならびに／または、
−  フェーズドアレイに結び付けられた基準ポイントにおける集束ゾーンの移動の検出、ならびに／または
−  集束ゾーン内の電気活動設定ポイント。
【００２５】
一実施形態によれば、集束ビームによって生成され、標的ゾーン内またはその近くで測定される電気活動が、イメージングシステムによって取得された同じ標的ゾーン内の組織変形の測定と相関され、前記相関によって、所与の標的ゾーン心臓組織の機械−電気活動のインジケータを決定することが可能になる。
【００２６】
一実施形態によれば、標的ゾーン内での集束超音波信号の第１のビームの生成は、標的ゾーン内での心臓組織の再分極中に少なくとも１つのパルスが生成されるように関与させられる。
【００２７】
一実施形態によれば、方法は、複数のパルスを含む第１の集束信号の較正を含み、各パルスは第１の持続時間、振幅を有し、前記信号は標的ゾーン内で持続時間にわたって印加される。
【００２８】
一実施形態によれば、モニタリング方法は心臓の異なる標的ゾーン内で実行され、方法は、集束信号のビームの印加後、以下をさらに含む：
−  各標的ゾーンの組織変形、または各標的ゾーンの近くもしくはその中で測定される電気レベル、のどちらかを表す異なる値の読み取りと、
−  各標的ゾーンの電気的応答または変形の回数の読み取りと、
−  各標的ゾーンのための信号の較正であって、前記信号は互いと構成され、時間遅延が応答時間の読み取りに依存する、較正。
【００２９】
一実施形態によれば、心臓の少なくとも１つの標的ゾーンは、このゾーン内の組織変形または電気活動またはキャビテーションのレベルが集束ビームの少なくとも１つのパルスの所与の振幅および持続時間および集束ゾーン内の所与の温度に関する所定の閾値よりも小さいとき、「不応答」として示される。
【００３０】
本発明のプロセスは、電気刺激方法とも呼ばれる心臓刺激方法にも関する。この電気刺激方法は有利には、モニタリング方法の実施形態を定義する特性を含み得る。特に、２つの方法のために使用される機器のアイテムは同一であってよく、測定されるパラメータおよび構成は類似であってよい。
【００３１】
集束超音波信号のビームの生成による心臓の所与のゾーンの心臓刺激のための方法は、以下を含む：
−  心臓の心電図の調律の獲得と、
−  心臓内の標的ゾーンの少なくとも１つの位置の決定と、
−  集束超音波信号のビームの生成であって、心電図の調律と同期して行われ：
−  パルスの振幅が、集束ゾーン内で印加される音圧が［２−１２ＭＰａ］という圧力の第１の範囲に含まれるように構成され、
−  パルスの持続時間が、［５０μｓ−５０ｍｓ］という持続時間の第１の範囲に含まれ、
−  集束ビームの印加の持続時間が５０μｓを上回る、生成と、
−  位置決めシステムによってリアルタイムで計算される標的ゾーンの位置に対するビームの焦点ゾーンの位置の制御と、
−  リアルタイムでのアクティブモニタリングであって：
−  所定の閾値を超過しない、画像の獲得からの集束ゾーン内の温度、
−  あらかじめ定義された値の範囲に含まれる各パルス後に測定された集束ゾーン内の、イメージングシステムからのあらかじめ定義された値の範囲に含まれる各パルス後の組織変形、および／または電気活動、および／またはキャビテーションのレベル、
−  集束ビームのパルスの調律との心電図の調律の同期の関係（ｒｅｓｐｅｃｔ）を保証する同期パラメータのアクティブモニタリング。
【００３２】
特に、本発明のプロセスは、値の範囲により一緒にグルーピングされ、熱的損傷および機械的損傷がリアルタイムでモニタされるまたは事前構成によって予期される信号を生成する２つのモードを含む。
【００３３】
一実施形態によれば、集束ゾーンＺＦ内の温度および組織変形が単一のイメージングシステムによって決定され、前記イメージングシステムは、たとえば、ＭＲＩイメージングシステムである。
【００３４】
第１の代替実施形態によれば、パルスの振幅は、集束ゾーン内で印加される音圧が、持続時間の第２の範囲［１ｍｓ−５０ｍｓ］に含まれるパルス持続時間にわたって［２−８ＭＰａ］という圧力の第２の範囲に含まれるように構成され、前記生成されるパルスは、閾値よりも低い心臓組織の機械的変形の閾値を維持しながら、電気刺激を引き起こし、前記閾値が、組織の収縮または弛緩または弾性の所与の比率に対応するパラメータから計算される。
【００３５】
第１の代替実施形態によれば、パルスの振幅は、集束ゾーン内で印加される音圧が、［５０μｓ−１ｍｓ］という持続時間の第３の範囲に含まれるパルス持続時間にわたって［６−１２ＭＰａ］という圧力の第３の範囲に含まれるように構成され、前記生成されるパルスは、温度閾値を下回る温度を標的ゾーン内で局所的に維持しながら、心臓組織内で電気刺激を引き起こす。
【００３６】
一実施形態によれば、集束ゾーンに近いゾーンの第２のモニタリングが実行され、前記第２のモニタリングは、リアルタイムで、以下のパラメータのうちの少なくとも１つを測定することを含む：
−  集束ゾーンに隣接する少なくとも１つのゾーンの温度、および／または
−  第１の集束ビームの少なくとも１つのパルスに応答した、集束ゾーンに隣接する少なくとも１つのゾーン内の組織変形、および／または
−  第１の集束ビームの少なくとも１つのパルスに応答した、集束ゾーンに隣接する少なくとも１つのゾーン内の電気活動、および／または
−  第１の集束ビームの少なくとも１つのパルスに応答した、集束ゾーンに隣接する少なくとも１つのゾーン内のキャビテーションのレベル。
【００３７】
一実施形態によれば、本発明の刺激方法はあらかじめ、以下を含む：
−  本発明のモニタリングプロセスによる集束ビームの較正
−  前記較正は、以下のパラメータを決定することを可能にする：
−  集束ゾーン内で印加される音圧が［２−１２ＭＰａ］という圧力の第１の範囲に含まれるように構成されたパルスの振幅、
−  ５０μｓを上回る期間にわたっての集束ビームの印加の持続時間。
【００３８】
一例によれば、パルスの持続時間は、［５０μｓ−５０ｍｓ］という持続時間の第１の範囲ＧＤ１に含まれる。
【００３９】
一実施形態によれば、刺激方法は、以下を含む：
−  ＭＲＩイメージングシステムによって獲得される複数の画像の分析による１つまたは複数の標的ゾーンの空間内での位置の決定と、
−  標的ゾーン上で経時的に集束されるビームの制御。
【００４０】
一実施形態によれば、刺激方法は、以下を含む：
−  超音波プローブによる信号の分析による標的ゾーンの空間内での位置の決定と、
−  標的ゾーン上で経時的に集束されるビームの制御。
【００４１】
一実施形態によれば、刺激方法は、以下を含む：
−  プローブが標的ゾーン（ＺＣ）の近くに位置決めされる心臓へと導入された心腔内カテーテルによる信号の分析による標的ゾーン（ＺＣ）の空間内での位置の決定と、
−  標的ゾーン（ＺＣ）上での経時的な集束ビーム（ＦＵＳ）の制御。
【００４２】
一実施形態によれば、刺激方法は、心耳の再同期または心室の再同期のために適用される。この目的のために、刺激方法は、以下を含む：
−  心臓の心電図の調律を示す、心臓の心電図の獲得と、
−  超音波信号の較正されたビームが生成される１つまたは複数の標的ゾーンの決定と、
−  心臓の心電図の調律との集束ビームの各パルスの同期であって、各パルスは、心室または心耳の電気的分極の終了と脱分極の開始との間に生成される、同期。
【００４３】
一実施形態によれば、刺激方法は、心臓細動の生成に適用される。この目的のために、刺激方法は、以下を含む：
−  心臓の心電図の調律を示す、心臓の心室の心電図の獲得と、
−  超音波信号の較正されたビームが生成される少なくとも１つの標的ゾーンの決定と、
−  心臓組織がその間に分極される経時的な集束ビームの各パルスの同期と、
−  心室細動または心耳細動の生成を確認するように、標的ゾーンの電気的応答の、およびＥＣＧの分析。
【００４４】
一実施形態によれば、刺激方法は、期外収縮を生成するゾーンの検出に適用される。この目的のために、刺激方法は、以下を含む：
−  心臓の心電図の調律を示す、心臓の心電図の獲得であって、前記心電図が、心電図の識別された時間に生じる期外収縮の存在を含む、獲得と、
−  超音波信号の較正されたビームが生成される少なくとも１つの標的ゾーンの決定と、
−  心臓の心電図の識別された時間との集束ビームの各パルスの同期と、
−  標的ゾーンが期外収縮の発生部であるかどうかを識別するようなやり方での電気的応答または組織変形の分析。
【００４５】
一実施形態によれば、刺激方法は、心周波数の変更に適用される。この目的のために、刺激方法は、以下を含む：
−  心臓の心電図の調律を示す、心臓の心電図の獲得と、
−  超音波信号の較正されたビームが生成される複数の標的ゾーンの決定と、
−  心調律を集束ビームのパルスと同期させるように、パルスの周波数が心電図の周波数と異なる集束信号のビームの生成。
【００４６】
本発明の別の主題は、超音波心臓刺激システムに関し、以下を含む：
−  心電図の獲得のために心臓の電気活動を測定するための手段と、
−  標的ゾーン内の集束超音波信号のビームを生成するための手段であって、前記信号が、心臓のゾーン内で電気刺激を生成するなどのために較正され、前記ビーム生成が心電図の第１の選択された時間と同期される、生成するための手段と、
−  標的ゾーン内の集束超音波信号の前記ビームを制御するように集束ビームを生成するための手段を位置決めするための手段に結合された標的ゾーンを位置特定するための手段であって、集束信号のビームを生成するための手段と同期された前記位置特定手段と、
−  標的ゾーン内の温度および組織変形をリアルタイムで追従することが可能な同じモニタリングの手段であって、心電図の調律と同期して測定を行う前記モニタリングのための手段。
【００４７】
一実施形態によれば、位置決めシステムおよび温度をモニタするための手段は単一のＭＲＩイメージングシステムである。
【００４８】
本発明のシステムは、本発明のモニタリングプロセスおよび刺激プロセスのステップを実施することを可能にする。
【００４９】
最後に、本発明は、緊急事態に応答する携帯心臓刺激デバイスに関する。この携帯デバイスは、有利には、本発明のモニタリングプロセスにより事前較正され得る。
【００５０】
携帯超音波心臓刺激デバイスは、患者の皮膚と接触して固定されることを意図されている。携帯超音波心臓刺激デバイスは、超音波信号の発生器であることが必要な場合、少なくとも心拍周波数を示す心臓活動の測定を可能にする電気システムを備え、機械的影響のセンサは、心臓の収縮の存在を測定することを可能にし、前記携帯デバイスは、電気システムによって獲得される心周波数と同期される超音波信号の少なくとも１つのパルス列を定義する少なくとも１つの事前構成を備える、前記デバイスは超音波信号の発生器をアクティブ化させるための手段を備える。
【００５１】
本発明の他の特性および利点は、添付の図を参照しながら以下の詳細な説明を読めば、より明らかになるであろう：
【図面の簡単な説明】
【００５２】
【図１】一実施形態による本発明のプロセスの一般的な動作線図である。
【図２】心臓の心電図のシーケンスの一例を示す図である。
【図３Ａ】心臓の標的ゾーンのモニタリングのために前記ゾーン内で印加される超音波信号のビームのパルスの振幅および持続時間を表す図である。
【図３Ｂ】心臓の標的ゾーンの刺激のために前記ゾーン内で印加される超音波信号のビームの複数のパルスの振幅および持続時間を表す図である。
【図４】心臓の標的ゾーン内の超音波信号のビームのパルスの振幅および持続時間による、前記ゾーンのレベルにおける温度、組織の変形の進展を表す図である。
【図５Ａ】標的ゾーン内の超音波信号のビームのパルスの振幅および持続時間による、前記ゾーンのレベルにおける温度、機械的損傷および／または熱的損傷の進展を表す図である。
【図５Ｂ】標的ゾーン内の超音波信号のビームのパルスの振幅および持続時間による、前記ゾーンのレベルにおける温度、機械的損傷および／または熱的損傷の進展を表す図である。
【図６Ａ】パルスが小振幅および長い持続時間である、心臓の標的ゾーンの刺激を表す図である。
【図６Ｂ】パルスが高振幅であり、パルス持続時間が短い、心臓の標的ゾーンの刺激を表す図である。
【図７】携帯超音波心臓刺激デバイスの図。
【発明を実施するための形態】
【００５３】
定義および原理の紹介
図１は、本発明のプロセスの一実施形態の一般的な動作図を表す。図１のシステムは、順に説明される機器の異なるアイテムを表す。
【００５４】
説明の残りの部分では、「振幅」および「音圧」という用語は普通に（ｉｎｄｉｆｆｅｒｅｎｔｌｙ）使用される。
【００５５】
「パルス」は、信号のレベルにおいて、特定の持続時間にわたっての放出として解釈されてもよいが、この信号によって局所的に誘発された現象として解釈されてもよい。誘発された現象は、超音波放射力から生じる局所的な超音波スラストに対応する。この後者のスラストは、心臓組織に機械的スラストを直接的に及ぼすことが可能である。
【００５６】
フェーズドアレイＲＥＳ＿ＵＳは、１つまたは複数の集束ゾーン内で１つまたは複数の集束ビームを生成することを可能にする。各集束ゾーンは、たとえば、フェーズドアレイに対して設定ポイントを動的に生成する位置決めシステムＳＹＳ＿ＰＯＳによって、所定の位置に制御される。
【００５７】
「集束ビーム」は、その周波数特性および位相特性が集束ゾーン内で建設的干渉またはコヒーレント干渉を生成することを可能にするフェーズドアレイの異なる要素から来る信号のセットを指す。
【００５８】
フェーズドアレイは、実施形態によれば、フェーズドアレイの各要素の位相の特定の構成のおかげで、心臓内で１つまたは複数の集束ゾーンを定義することを可能にする。異なる集束ゾーンは、フェーズドアレイの異なる要素の信号を異なる点で干渉させることによって取得される。
【００５９】
本発明のプロセスは、集束ビームの印加中に、またはその結果として生じる、組織変形ＡＣＱ＿ＤＥＦ、温度ＡＣＱ＿Ｔ、電気活動ＡＣＱ＿ＡＥ、または心収縮ＡＣＱ＿ＣＯＮＴＲＡＣＴの存在などのモニタリングパラメータの測定を実行することを可能にする。さらに、本発明のプロセスは、集束ゾーン内またはその近くでのキャビテーションの現象の代表的レベルＡＣＱ＿ＣＡＶ、ならびに標的ゾーンの位置または変位ＡＣＱ＿ＰＯＳの測定値を測定することを可能にする。
【００６０】
「組織変形」および「組織変位」という用語は、心臓組織上で超音波スラストの生成によって引き起こされる影響を説明において説明するために普通に使用される。
【００６１】
「集束ゾーン」と呼ばれる１つまたは複数の点における集束ビームの位置の制御は、「標的ゾーン」と呼ばれる位置設定ポイントによって実行される。
【００６２】
標的ゾーン内で集束ビームを制御するための機構は、有利には、ＥＣＧの獲得のおかげで位置決めシステムとビームのアレイとの間で同期して実行され、これによって、機器の異なるアイテムに共通の時間基準が構成される。
【００６３】
本発明のプロセスは、心臓の呼吸運動および／または収縮によって引き起こされる標的ゾーンＺＣの位置設定ポイントの変位のパラメータを考慮することを可能にする。次いで、フェーズドアレイに設定ポイントを適合させるために、位置決め手段に結合されたコンピュータによって、新しい標的位置が計算される。本発明のプロセスによれば、フェーズドアレイは、ビームを偏向させ標的ゾーンＺＣの新しい位置に集束点ＺＦを制御するためにアレイの要素によって放出される各信号において位相パラメータを生成することが可能である。
【００６４】
そのうえ、呼吸現象は別として、心臓の収縮運動が、特にＥＣＧのＱＲＳ複合体の間に存在する。標的ゾーン上に集束されたゾーンの制御において心臓の収縮運動を無視することが可能であるように、集束ビームは、以下のどちらかであってよい：
−  ＥＣＧ上で視認可能なＱＲＳ複合体の出現中に中断される、
−  または、ＱＲＳ複合体の出現中に心臓の変位を補償するために第２の偏向変更の適用によって完了される。
【００６５】
本発明は、モニタリングプロセス中または刺激プロセス中に２つの解決策を実施することを可能にする。
【００６６】
一実施形態によれば、放出器は、集束ゾーン内で信号を放出する単一の放出器を含み得る。
【００６７】
ＥＣＧの獲得
ＡＣＱ＿ＥＣＧと示される第１のステップは、ＳＹＳ＿ＥＬＥＣ＿１と示される第１の電気システムからの患者または動物の、ＥＣＧと示される心電図の獲得を含む。一実施形態によれば、心電図は、心周波数とも呼ばれる心拍調律を獲得することを可能にし、心拍調律は、ＡＦＦ＿１と示されるディスプレイ上に表示される。
【００６８】
一実施形態によれば、ＥＣＧの獲得は、患者または動物の身体の表面上に電極を留置することによって実行される。この解決策によって、非侵襲的な様式で心臓の電気活動を測定することが可能になる。一代替実施形態によれば、ＥＣＧは、電極のレイアウトおよび位置決めの知られているモダリティにより１２誘導または１６誘導を使用して獲得されてもよい。
【００６９】
一実施形態によれば、特定のカテーテルが、局所的な電気活動の測定のために心臓の腔内に位置決めされる。この場合、本発明のプロセスは、電気カテーテルおよびＥＣＧを取得することを可能にするデバイスによって獲得された電気活動を比較することも可能にする。この手段は、図１ではＳＹＳ＿ＥＬＥＣ＿２と示されている。
【００７０】
適用の同期
その表示とは別に、ＥＣＧは、機器の異なるアイテムを一緒に同期させるために、本発明のプロセスにより使用される。機器の異なるアイテムの同期は、心臓の１つまたは複数の領域内で同期される動作を生成することを可能にする。
【００７１】
同期される動作は特に、以下を含む：
−  弾道（ｂａｌｌｉｓｔｉｃ）：すなわち、標的ゾーンＺＣの位置に対する、もしくはビームの放出の弾道または停止の制御におけるたとえば心臓の収縮の周波数を考慮することによる、集束ゾーンＺＦの位置の制御。この同期は、心臓の移動ならびに必要ならば経肋骨壁の回避を考慮する、および／または
−  モニタリング：すなわち、ビームの生成中の、またはその結果として生じる、特定のモニタリングパラメータの測定。
【００７２】
ビームの同期
一実施形態では、心臓の標的ゾーン内での集束超音波信号のビームの生成ＧＥＮ  ＦＵＳおよび画像の獲得ＡＣＱ  ＩＭＧは、ＥＣＧと同期される。フェーズドアレイの視点から「同期される」ことは、超音波ビームの生成ＧＥＮ  ＦＵＳがＥＣＧの決定された時間にトリガされることを意味するために行われる。この同期は、心臓組織の分極の状態を考慮に入れることによって心臓のゾーン内で所望の生理学的影響を引き起こすことを可能にする。超音波ビームＦＵＳのパルスが定期的に生成されるとき、ＥＣＧとのパルスの同期は、各放出において心臓組織の分極の同じ状態で刺激を引き起こすことを可能にする。
【００７３】
ＥＣＧおよびフェーズドアレイの同期は、したがって、想定された印加により心臓のゾーンに対するビームの所望の影響を取得するように構成される。すなわち、集束ビームの生成は、特殊な場合によれば、心室または心耳の脱分極または再分極に対応する時間窓内で生成される。
【００７４】
イメージングの同期
少なくとも１つの画像の獲得ＡＣＱ  ＩＭに関して、それはまた、ＥＣＧと優先的に同期される。すなわち、ＥＣＧの所与の時間に画像が獲得される。ＥＣＧに関する画像の獲得の時間は、オペレータによって設定されてもよいし、設定ポイント同期に応じて自動的に推論されてもよい。
【００７５】
画像の獲得
ＡＣＱ  ＩＭＧと示される第２のステップは、ＩＭＧと示されるイメージングシステムによる心臓の領域の少なくとも１つの画像の獲得を含み、イメージングシステム内には、ＡＣＱ＿ＺＣと示される標的ゾーンＺＣが位置特定される。
【００７６】
一実施形態によれば、画像の獲得は、ＭＲＩイメージングシステムによって実行される。原子の磁性に基づいて、ＭＲＩイメージングシステムは、原子核に磁場を印加し、次いで前記原子核を無線周波数によって刺激することにある。次いで、緩和フェーズ中に放出され、電磁センサによって収集された信号から、画像の再構成が可能である。
【００７７】
有利には、コンピュータＫ１と結合されたＭＲＩイメージングシステムは、以下を可能にする：
−  標的ゾーンＺＣの位置を集束信号のフェーズドアレイを制御するための設定ポイントとして定義する、標的ゾーンＺＣの位置はまた、別の位置決め機器によって定義されてもよいし、そのような機器に送られてよい、
−  集束ゾーンに近いまたはその中での組織変形および／または組織変形の変動を推論する、このモードにおけるＭＲＩは、より一般にはＭＲＩ−ＡＲＦＩとして知られている、ＭＲＩ−ＡＲＦＩは、識別されたゾーン内の温度の上昇の後で組織の硬度または弾性を測定することを可能にする、
−  集束ゾーンに近いまたはその中の温度および／または温度の変動を推論する、このモードにおけるＭＲＩは、より一般にはＭＲＩ−Ｔとして知られている、
−  ビームの偏向のパラメータを考慮に入れることによって、骨壁の損傷を引き起こすことが可能なフェーズドアレイの要素をアクティブ化または非アクティブ化するために、フェーズドアレイの画像平面内での患者の経肋骨壁の投影を決定する。
【００７８】
別の実施形態によれば、本発明は、超音波イメージングシステムによる画像の獲得を含む。このシステムは、ＭＲＩイメージングシステムに加えて使用されてもよいし、その代理として組織変位測定のために使用されてもよい。心エコー法と呼ばれる超音波イメージングシステムは、体内での音波の放出に基づく。前記波は、遭遇される解剖学的構造のタイプにより異なるように反射される。放出される波のエコーに対応する収集される信号は、患者または動物の解剖学的構造の一部の画像を再構成することを可能にする。
【００７９】
別の実施形態によれば、画像の獲得は、Ｘ線イメージングシステムによって実行される。このイメージングシステムは、組織に対するＸ線の放出に基づく。組織によるＸ線の減衰の測定は、たとえば心臓などの解剖学的構造の２Ｄまたは３Ｄで画像を再構成することを可能にする。このシステムは、ＭＲＩイメージングシステムに加えて使用されてもよいし、その代理として弾道測定、すなわち集束ゾーンの位置のために使用されてもよい。標的ゾーンＺＣは、イメージングシステムから潜在的に定義され得る。
【００８０】
別の実施形態によれば、画像の獲得は、断層シンチグラフィと呼ばれるポジトロン放出型イメージングシステム（ＴＥＰ）によって実行される。このイメージングシステムは、身体に少量注入された放射性物質によって放出されるガンマ放射線の検出に基づいており、それによって、たとえば心臓などの特定の器官の断面における画像を獲得することが可能になる。このシステムは、ＭＲＩイメージングシステムに加えて使用されてもよいし、その代理として弾道測定、すなわち集束ゾーンおよび／または標的ゾーンの位置のために使用されてもよい。標的ゾーンＺＣは、イメージングシステムから潜在的に定義され得る。
【００８１】
イメージングシステムは、必要とされる場合、診査される器官の可視化を改善するように、注入または摂取された造影剤と結合され得る。
【００８２】
位置決めシステム
位置決めシステムは、さまざまな機能を果たすために本発明のプロセスの実行中に使用される：
−  第１の機能は、到達されることが望まれる標的ゾーンＺＣの位置を定義することである。この目的のために、一例によれば、位置決めシステムは、獲得された画像ＡＣＱ＿ＩＭＧ上で、識別された標的ゾーンＺＣの位置を回復するために、イメージングシステムに結合され得る。
−  第２の機能は、本発明のプロセスの機能を実現する各デバイスまたはシステムの弾道を較正することである。したがって、イメージングシステムおよびフェーズドアレイは、位置決めシステムを用いて所定の位置に較正され得る。
−  第３の機能は、標的ゾーンＺＣの位置に対する集束ゾーンＺＦの位置の制御である。そうするために、ビームが正確に偏向されるように、設定ポイントがフェーズドアレイに対して生成される。
−  第４の機能は、フェーズドアレイの平面内での経肋骨壁の投影された位置により、フェーズドアレイの要素のアクティブ化または非アクティブ化の設定ポイントを生成することである。この機能は、イメージングシステムによってフェーズドアレイに対して直接的に保証され得る。位置決めシステムの使用は、画像の獲得時間によって制限される必要もなく制御の速度を改善することを可能にし得る。後者の場合、経肋骨壁の投影された画像の位置の計算は、位置決めシステム内で記憶されてよく、患者の位置の変化は、基準位置から計算され得る。
【００８３】
一実施形態によれば、位置決めシステムは、体外の超音波センサと、超音波信号の放出が反射されセンサによって検出される体外の放出器とを備える。心臓の所与の位置ＡＣＱ＿ＰＯＳは、三角測量によって取得され得る。信号の４つのセンサは、心臓内のゾーンの位置の良好な精度を取得することを可能にする。この解決策の利点は、空間内の位置の制御は、イメージングシステムの使用によるよりも早い可能性があることである。実際、この解決策によって、獲得および処理するために必要とされるデータが少なくなる。受容体は、３Ｄ空間のライン上の変動を獲得する。
【００８４】
一代替実施形態によれば、放出器は、位置決めシステムに専用の放出器である。別の代替実施形態によれば、放出器はたとえば、特に開始位置の較正を確立するために、フェーズドアレイの要素であってよい。
【００８５】
フェーズドアレイの受容体が使用され得る。測定の精度を改善するために、位置決めシステムに専用の超音波センサが好ましい。
【００８６】
別の実施形態では、位置決めシステムは、皮膚上に位置決めされたセンサによって実現される。集束ゾーンＺＦまたは標的ゾーンＺＣの位置がイメージングシステムＩＭＧから決定されるとき、例示的な一実施形態によれば、その位置は、画像処理から自動的に認識され得る。このために、画像のピクセルに対するパラメータの変動に基づいたインジケータが、心臓の特定のゾーンを自動的に認識するために生成され得る。別の例示的な実施形態によれば、標的ゾーンＺＣは、マウスまたはグラフィックポインタを使用する画像処理ツールによって認識され得る。標的ゾーンＺＣはまた、たとえばフェーズドアレイを案内するように構成されたソフトウェアからの、二次元画像または三次元画像の空間座標の定義によって指定され得る。
【００８７】
一実施形態によれば、標的ゾーンＺＣの位置は、心臓の心室または心耳へと導入され１つもしくは複数の超音波位置センサまたは１つもしくは複数の電磁位置センサとそれぞれ結合された超音波プローブまたは電磁プローブを含む心腔内カテーテルを使用して、決定され得る。したがって、前記位置決めシステムは、ＭＲＩイメージングシステムまたは少なくとも１つの超音波プローブまたは少なくとも１つの心腔内センサと関連付けられ得る。一実施形態によれば、超音波プローブによって、集束ビームの位置を制御するために標的ゾーンＺＣを、したがって集束ゾーンＺＦを定義することが可能になる。このシステムは、ＭＲＩイメージングシステムに加えて使用されてもよいし、その代理として組織変位測定のために使用されてもよい。
【００８８】
位置決めシステムは、所定の位置における制御のためにフェーズドアレイＲＥＳ＿ＵＳまたは超音波信号の発生器に送られる標的ゾーンＺＣの位置を定義することを可能にする。第二に、および潜在的に、位置決めシステムは、標的ゾーンの位置設定ポイントとの差をそれから推論するために、集束ゾーンＺＦの位置を回復することが可能である。したがって、位置決めシステムは、コンピュータ内で実施される機能によってイメージングシステム内で統合されてもよいし、イメージングシステムの外部にあり、獲得された画像からデータを抽出するためにそれと関連付けられてもよい。
【００８９】
一実施形態によれば、本発明のプロセスは、１つまたは複数の標的ゾーンＺＣを識別することを可能にする。このステップは、先に説明されたように、集束ゾーンＺＦの制御の異なる機能を果たすことを可能にする。
【００９０】
本発明のプロセスの可能な機能は、組織変形のパラメータおよび／または温度の変動のパラメータを決定するために、心臓刺激前後の標的ゾーンＺＣまたはそれに近いゾーンのイメージングデータの比較を含む。実際、画像の比較が実行されるとき、本発明のプロセスは、画像内の値の勾配、すなわち、たとえば心臓組織の変位を変換する変動および／または温度の変動を識別することを可能にする。これは、イメージングシステムがＭＲＩイメージングシステムであるとき、およびそのシステムがコンピュータＫ１に結合されるとき、特に当てはまる。磁場の印加後、後者は、組織の変位に対する値と温度の変動に対する値とを含むデフェージングパラメータを推論することを可能にする。コンピュータＫ１は、特にモニタリングパラメータに対する画像処理演算を行うことを可能にする。
【００９１】
フェーズドアレイ、信号の発生器
ＧＥＮ  ＦＵＳと示される第３のステップは、標的ゾーンＺＣ内で集束される集束超音波信号ＦＵＳの１つまたは複数のビームの生成を含む。
【００９２】
治療用超音波プローブは、標的心臓領域と同一線上にプローブを直接的に位置特定することを可能にする３Ｄ機械的位置決めシステムに取り付けられる。フェーズドアレイ技術のおかげで、超音波ビームは、ショットゾーンの微調整のために焦点の本来の位置の周りに電子的に偏向され得る。これは、各ショット間に管理された時間遅延を用いていくつかの異なるゾーンを刺激するために、心臓の異なる領域を容易に標的とすることを可能にする。
【００９３】
例示的な一実施形態によれば、２５６の要素を有するフェーズドアレイが、１ＭＨｚにおける中心周波数とともに使用され得る。幾何学的焦点は１３ｃｍに構成される。
【００９４】
一実施形態では、集束超音波信号ＦＵＳのフェーズドアレイＲＥＳ＿ＵＳは、要素トランスデューサなどの要素のセットを含む。フェーズドアレイＲＥＳ＿ＵＳの構成は、要素のアクティブ化または非アクティブ化、および生成されるビームの偏向を案内することを可能にする各信号の位相のパラメータ化を可能にする。したがって、ビームの焦点の位置は、所与の偏向を定義する各信号の位相のパラメータ化によって決定される。
【００９５】
フェーズドアレイの構成は、肋骨または他の器官などの、フェーズドアレイＲＥＳ＿ＵＳの要素と心臓との間の障害物を考慮することを可能にする。したがって、障害物を回避しながら１つまたは複数のビームの生成を構成することが可能である。これは、たとえば、患者の肋骨を損傷しないことを可能にする。本発明の刺激方法は特に、アレイＲＥＳ＿ＵＳが、心臓に最も近い胸郭に面して位置決めされるときに効率的である。この構成では、放出された超音波の骨壁内での吸収によって熱傷が誘発可能であるので、本発明のプロセスは、肋骨に超音波を照射する（ｉｎｓｏｎｉｆｙ）ことを回避するためにフェーズドアレイＲＥＳ＿ＵＳの構成を確立することを可能にする。
【００９６】
この構成は、集束ビームの較正中または心臓の少なくとも１つのゾーンの刺激の動作中に実現され得る。ビームの偏向は、標的ゾーンの変位を誘発する呼吸運動または心臓の収縮を補償するように制御され得る。標的ゾーンの新しい位置は、先に詳述されたように、位置決めシステムのおかげで、このゾーンの変位の推定によって決定され得る。
【００９７】
標的ゾーンＺＣは、心臓の基準フレーム内の領域を画定し、したがって、地上（ｔｅｒｒｅｓｔｒｉａｌ）基準フレーム内で動くことが可能である。したがって、フェーズドアレイは、呼吸運動または心臓の収縮によって誘発される心臓の移動を補償しなければならない。これは、標的位置ＺＣに対する集束位置ＺＦの制御のおかげで達成される。
【００９８】
特に、一実施形態によれば、ビームの偏向は、心臓の呼吸運動の補償のパラメータに対して制御される。実際、呼吸運動は、心周期全体を通して標的ゾーンＺＣの変位を生成し、本発明のプロセスの実行中に優先的に補償される。
【００９９】
任意選択で、改善された一実施形態によれば、ビームの偏向は、ＱＲＳ複合体中に生じる心臓の収縮運動の補償のパラメータに対して制御され得る。代替物は、たとえば刺激方法中に熱傷を回避するために、または標的ゾーンＺＣに関連するゾーンを刺激するために、ＱＲＳ複合体の出現中にビームを自動的にオフにすることである。この場合、ビームの消失は、収縮の出現の瞬間とビームの消失の瞬間が同期されるように、ＥＣＧの調律に対して制御される。
【０１００】
一実施形態では、集束超音波信号ＦＵＳのビームは、標的ゾーンＺＣ内で心臓組織を刺激するように、このゾーン上でパルスを生成するように構成される。本発明のプロセスは、前記ゾーン内またはその近くで、電気的応答および／または組織変形および／または温度および／またはキャビテーションのレベルを観察することを可能にする。刺激が単一の標的ゾーンＺＣ上で実行されるとき、それは、たとえば、前記ゾーンの電気活動を試験することを可能にする。
【０１０１】
フェーズドアレイＲＥＳ＿ＵＳはまた、イメージングシステムＩＭＧとともに集束ゾーンＺＦの位置を較正するための超音波位置決めデバイスとして使用されてもよい。他の適用例が可能であり、以下で説明される。
【０１０２】
マルチビーム
一実施形態では、フェーズドアレイＲＥＳ＿ＵＳは、複数の集束ビームを生成し、したがって、いくつかの標的ゾーンＺＣ内で複数のパルスを生成するように、同位相で構成される。次いで、前記ゾーンを刺激して、前記ゾーンの電気的応答および／または変形および／または温度および／またはキャビテーションのレベルを観察し、したがって、応答の比較を潜在的に実行することが可能である。刺激が複数の標的ゾーンＺＣ上で実行されるとき、それは、たとえば、刺激動作をスケジュールするために異なるゾーン内の信号のレベルを較正することを可能にする。別の例によれば、同時に関与させられるマルチポイント刺激は、心室もしくは心耳の再同期の動作を実行するまたは心拍周波数を変更することを可能にする。他の適用例も可能である。
【０１０３】
信号の定義
すべての実施形態では、集束超音波信号ＦＵＳのビームは、心臓組織への機械的損傷および／または熱的損傷のレベルをモニタするように、構成された振幅で、構成された持続時間にわたって生成される。
【０１０４】
心臓刺激適用例の範囲内で、最良の刺激および組織への最小の損傷を可能にする構成が求められる。本発明のモニタリングプロセスによる信号の較正は、信号が１つまたは複数の最適化されたビームを定義する刺激フェーズを準備するために実行され得る。最適化は、集束ビームのパルスの振幅、持続時間、および繰返しを較正することによって実行される。較正は、異なる基準に依存する：年齢、患者の肥満、心臓の大きさ、心臓組織の厚さ、心筋、刺激されるゾーンなど。信号の較正は、したがって、効率的な刺激を定義するようにビームを適合させることを可能にする。
【０１０５】
一実施形態では、超音波信号のフェーズドアレイは、要素トランスデューサなどの要素のセットを含む。フェーズドアレイの構成は、要素のアクティブ化または非アクティブ化を可能にし、各信号の位相のパラメータ化は、ビームの偏向を案内することを可能にする。したがって、ビームの焦点の位置は、所与の偏向を定義する各信号の位相のパラメータ化によって決定される。
【０１０６】
フェーズドアレイの構成は、肋骨または他の器官などの、アレイの要素と心臓との間の障害物を考慮することを可能にする。したがって、障害物を回避しながら１つまたは複数のビームの生成を構成することが可能である。これは、たとえば、患者の肋骨を損傷しないことを可能にする。本発明の刺激方法は特に、アレイが、心臓に最も近い胸郭に面して位置決めされるときに効率的である。この構成では、本発明のプロセスは、放出された超音波の骨壁内での吸収によって誘発されるいかなる熱傷も回避するように肋骨に超音波を照射することを回避するために、フェーズドアレイの構成を確立することを可能にする。
【０１０７】
この構成は、集束ビームの較正中または心臓の少なくとも１つのゾーンの刺激の動作中に実現され得る。
【０１０８】
本発明のプロセスは、以下のために使用され得る心臓刺激の２つのモードを構成することを可能にする：
−  特にパルスを生成することによって、および関連付けられた応答を分析することによって、特定の印加に対する観察で信号を較正する、
−  または、パルス列の生成によって生理学的影響を取得するために標的ゾーンを直接的に刺激する、のどちらか。
【０１０９】
第１の実施形態では、１つまたは複数のパルスの振幅は第１の所与の振幅閾値よりも小さく、パルスまたは前記パルスの持続時間は所与の持続時間閾値よりも長い。
【０１１０】
この第１の実施形態は特に、機械的損傷が組織内で生じないことを保証するためにモニタしながら心臓の１つまたは複数のゾーンを刺激するために有利である。この実施形態は、標的ゾーンＺＣの制御された加熱を可能にし、それにもかかわらず熱的損傷を引き起こすことはない。熱的損傷は、ビームの印加の持続時間をモニタすることによって制限される。この第１の実施形態は、より詳細には、図６Ａに表されたパルスに関する。
【０１１１】
第２の実施形態では、１つまたは複数のパルスの振幅は第２の所与の振幅閾値を上回り、パルスの持続時間は所与の第２の持続時間閾値よりも短い。
【０１１２】
この第２の実施形態は特に、熱的損傷が組織内で生じないことを保証するためにモニタしながら心臓の１つまたはいくつかのゾーンを刺激するために有利である。パルスは、十分に短い場合はゾーンの加熱を引き起こさないことにより、熱的損傷は生じない。第１の実施形態においてよりも大きな振幅のパルスを用いて発生できる機械的損傷に対して、応力が緩和される、すなわち、超音波ビームによって生成される放射力の強度は、第１の実施形態の強度よりも大きい。この場合、本発明のモニタリングプロセスは、パルスが集束ゾーンまたは隣接ゾーンの組織の機械的損傷を生成しない振幅閾値を決定することを可能にする。
【０１１３】
この第１の実施形態は、より詳細には、図６Ｂに表されたパルスに関する。
【０１１４】
例示的な一実施形態によれば、第１の振幅閾値は第２の振幅閾値：Ａｄｅｓｔｒｕと同一であり、第１の持続時間閾値は第２の持続時間閾値：Ｔｄｅｓｔｒｕと同一である。閾値は、それぞれ温度における単一閾値Ｔｄｅｓｔｒｕおよび振幅における単一閾値Ａｄｅｓｔｒｕが表されている図４および図５Ａ、図５Ｂに表されている。
【０１１５】
一実施形態によれば、本発明のプロセスは、器官すなわち心臓への超音波造影剤の注入のステップを含む。
【０１１６】
第１の実施形態によれば、超音波造影剤は、超音波ビームを視覚化し、超音波イメージングシステムを使用する治療を採り入れることを可能にする。この実施形態によれば、超音波造影剤は、ＭＲＩ画像の視覚化を改善するために造影剤が使用されるのと同じやり方で、超音波イメージングデバイスと組み合わせて使用され得る。この使用法によって、たとえば健康なゾーンおよび病理学的ゾーンを検出することが可能になる。
【０１１７】
第２の実施形態によれば、超音波造影剤が、集束超音波ビームの作用に有利である（ｆａｖｏｒ）ために使用され得る。造影剤が存在することによって、信号が微小気泡の生成によって集束されるとき、キャビテーションの現象の出現を改善することが可能になる。この現象の出現は有利にされるので、結果は、集束ゾーン内での組織の刺激に有利である音響信号の振幅の最大値の閾値を減少させることである。このコンテキストでは、造影剤は、心臓のゾーンを刺激するために使用される超音波信号のレベルの最小閾値を減少させることを可能にする。したがって、超音波造影剤は、超音波造影剤を用いずにより高いパワーを用いる結果に等しい結果を取得しながら、ビーム発生器によって放出されるパワーレベルを減少させることを可能にする。
【０１１８】
この解決策の関心は、放出されたパワーレベルを減少させ、したがって、超音波パルスによって応力を加えられる組織の損傷のリスクを減少させることである。別の関心は、ビームの放出によって他の器官または骨に対して引き起こされる損傷を減少させることである。
【０１１９】
使用可能なデバイスは、たとえば、Ｂｒａｃｃｏから指定された「ＳｏｎｏＶｕｅ」である。
【０１２０】
超音波造影剤の投与は、広範囲の値にわたって注入され得る。ブタ心臓に対して実行される試験によって、超音波造影剤が使用されたときより低い音圧パワーレベルを用いて刺激の生成の改善を検証することが可能になった。これらのデータは、ヒトで取得可能な桁と同じ桁である。一例として、ＳｏｎｏＶｕｅの０．０３または０．２０ｍｌ／ｋｇからに及ぶ注入が、集束ビームの印加による組織の刺激の影響の改善の影響を取得するために使用され得る。０．１ｍｌ／ｋｇの値は、８０ｍｓよりも短いパルス期間にわたって２から１５ＭＰａの振幅を発生させる集束される音響信号を用いて行われた試験による最終的結果に至る。
【０１２１】
この試験では、消失（ｔｅｒｍｉｎａｌ  ｅｌｉｍｉｎａｔｉｏｎ）半減期は１２分であった（２から３３分に及ぶ）。
【０１２２】
超音波造影剤の使用は、数百ＭＰａから数ＭＰａに及ぶ集束ゾーン内の刺激を生成するために必要とされるパワーレベルの減少を取得することを可能にする。取得される利得は、投与された超音波造影剤の量、造影剤の投与後にビームが放出された期間、および患者または動物に固有の器官の生理学的データに依存する。
【０１２３】
別の利点は、超音波造影剤の影響はビームのパルスの持続時間に無関係であるということであり、これは、すなわち、同じパワーレベルを用いて、造影剤が影響をもたらす期間全体を通じて生成される異なるパルスにわたって、共通動作手順を保証する。
【０１２４】
温度のモニタリング
本発明のプロセスは、較正動作または刺激動作中に心臓の１つまたは複数のゾーンをモニタするために、そのゾーン内の温度ＡＣＱ＿Ｔなどの特定のパラメータをモニタすることを可能にする。ディスプレイＡＦＦ＿２は、一実施形態では、断面内で、スライスまたは３Ｄゾーン内で、心臓またはその少なくとも１つの特定の領域の温度を視覚化することを可能にする。
【０１２５】
図１は、その画像の表示が獲得される機器の異なるアイテムの表示をプールする単一ディスプレイＡＦＦ＿２を表す。別の実施形態によれば、本発明のプロセスにおいて、異なるディスプレイが使用され、機器の各アイテムに専用であってよい。
【０１２６】
Ｋ１と示されるコンピュータは、心臓の特定のゾーン内の温度を推論するために、ＭＲＩなどのイメージングＩＭＧによって獲得されるデータを抽出することを可能にする。標的ゾーンまたは集束ゾーンの位置の抽出は、このゾーン内またはその近くで温度を識別するために実行され得る。たとえば、コンピュータＫ１は、獲得される画像のデータの分析によって温度の変動を計算し、変動が温度閾値を超過するゾーンを自動的に識別することが可能である。したがって、集束ゾーンの位置は、ＭＲＩ内で獲得された画像のデータの処理によって自動的に推論され得る。
【０１２７】
温度変動がスクリーン上で視認可能であるとき、カラーコードは、オペレータが著しい温度上昇を避ける助けとなり得る。
【０１２８】
第１の実施形態によれば、温度のモニタリングは、刺激動作中に使用される集束ビームを較正するために本発明のモニタリングプロセスの実行中に実行され得る。
【０１２９】
第２の実施形態によれば、温度のモニタリングは、治療適用のために刺激方法の実行中に実行され得る。この場合、「アクティブモニタリング」という用語が使用される。このアクティブモニタリングは特に、標的ゾーンならびに標的ゾーンに隣接するゾーンの加熱を追跡することを可能にする。
【０１３０】
電気活動のモニタリング
一実施形態では、ＡＣＱ＿ＡＥと示される電気活動の測定は、集束ゾーン内またはその近くで超音波刺激の効率を確認するように、組織変形および／または温度および／またはキャビテーションのレベルの測定に加えて、集束超音波信号のビームの生成ＧＥＮ  ＦＵＳ中および／またはその後で実行され得る。電気活動ＡＣＱ＿ＡＥは、カテーテルから局所的に測定されてもよいし、ＥＣＧを取得することを可能にする電気システムから局所的に測定されてもよい。
【０１３１】
集束ゾーン内またはその近くで電気的応答時間および／または電気活動のレベルは、ＳＹＳ＿ＥＬＥＣ＿２と示され図１に表される専用電気機器から測定され得る。それは、局所的な電気活動のレベルを変換する信号を獲得するＡＣＱ＿ＡＥことを可能にする。コンピュータＫ２はシステムに追加され得る。それは、電気活動のレベルを基準レベルと比較することによって、または電気活動のレベルの値を組織変形ＡＣＱ＿ＤＥＦの測定値と調和させるために、本発明の一実施形態の実施を可能にする。値のこれらの相関／比較は、図１の機能ＣＯＭＰによって表される。状態のメッセージＶＥＲＩＦ＿２は、比較の結果で終わることを可能にする。別の実施形態によれば、コンピュータＫ２によって実現される機能は、コンピュータＫ１によって保証され得る。
【０１３２】
一実施形態によれば、電気活動のレベルは、心臓の領域：心室または心耳へと導入された電気カテーテルから測定され得る。
【０１３３】
他の実施形態によれば、集束ゾーン内またはその近くで電気活動を局所的に測定することを可能にする機器の他のアイテムが使用されてよい。
【０１３４】
標的ゾーン内の局所的な電気活動ＡＣＱ＿ＡＥが、たとえば電極を使用して取得されるＥＣＧからモニタおよび推論され得ることに留意されたい。この後者の特別の場合、図１の電気システムＳＹＳ＿ＥＬＥＣ＿１およびＳＹＳ＿ＥＬＥＣ＿２は、機器の単一アイテムのみを形成し得る。特に、刺激が本発明の刺激プロセスによって生成されるとき、および心室または心耳の全体的脱分極が生じるとき、刺激方法によって誘発される電気活動は、ピークの存在によってＥＣＧ上で視認可能である。この場合、電気カテーテルは、ＥＣＧから推論された電気活動の測定値を相関させるため、またはより正確な測定値を取得するために潜在的に使用され得る。
【０１３５】
一実施形態では、パルスが、心臓組織の再分極中に心臓の標的ゾーンＺＣ内に印加される。心臓の標的ゾーンＺＣ内でパルスによって誘発される心臓の電気活動および／または組織変形および／またはキャビテーションのレベルおよび／または温度の測定が実行される。電気的応答、測定された変形および／または温度および／またはキャビテーションのレベルに応じて、超音波信号ＦＵＳのビームの較正が実行される。パルスの振幅および持続時間の異なる値は、温度が閾値を局所的に超えないことをモニタしながら構成されてよく、その閾値を超過すると、組織の損傷が生じ得る。
【０１３６】
心臓再同期のための適用例では、このモニタリングは、良好な電気的応答性質を有するプローブの留置の位置を決定することを可能にする。プローブは、心筋の壁の上に固定され、患者の心臓の複数のポイントで心臓パルスを生成することが意図されている。それによって生成されるパルスは、心臓の心室または心耳の同期を保証する。
【０１３７】
心臓組織の変形または集束ゾーンの電気活動が集束ビームＦＵＳの少なくとも１つのパルスの所与の振幅および持続時間にわたって所定の閾値よりも小さいとき、集束ゾーンは「不応答」と考えられる。
【０１３８】
第１のモニタリングにより、集束ゾーンが不応答と考えられるとき、本発明のモニタリングプロセスは、たとえば、持続時間および振幅において、第２の較正測定を実行するように新しい集束ビームを調節することを可能にする。
【０１３９】
この場合、集束ビームを較正するためのプロセスは、集束ゾーン内に印加された新しいビームにより組織を損傷することを回避するために、特に温度の変動を考慮する新しい集束ビームを定義することを可能にする。
【０１４０】
アブレーション動作に続く第２のモニタリングにより、集束ゾーンが不応答と考えられるとき、モニタリングプロセスは、たとえば、不整脈を生成するゾーンのアブレーションが成功したことを確認することを可能にする。
【０１４１】
測定された組織変形のレベルに応じて生成される電気活動の理論レベルを推論することが可能である。したがって、本発明の一実施形態によれば、電気活動は組織変形測定から推論され得るので、モニタリングおよび刺激プロセスは、電気活動の測定を必要としない。したがって、本発明のプロセスは有利には、非侵襲性であり得る。
【０１４２】
較正プロセスは、所与の集束ゾーン内の集束ビームの印加中に測定される電気活動のレベルと組織変位のレベルとの間の対応ルールを確立することを可能にする較正のステップを含み得る。この較正は、このゾーン内の温度に対する応答も考慮し得る。
【０１４３】
刺激方法中に、この較正は、組織の変形のレベルを一意に測定し、誘発される電気活動を推論することを可能にする。
【０１４４】
組織の変形、または組織の弾性に固有の特性の測定値が小さいまたはゼロさえであるとき、電気活動が生成されないことを推論することが可能である。
【０１４５】
心収縮のモニタリング
最後に、本発明の刺激方法は、心収縮の存在の確認のステップを含み得る。機械的収縮の確認は、心臓の収縮を測定するために、血圧プローブによって、たとえば心臓パルスの測定によって、または大動脈内プローブによって、実行され得る。機械的収縮を測定するためのこの機器は、図１ではＣＡＰ＿ＣＯＮＴＲＡＣＴと示され、測定はＡＣＱ＿ＣＯＮＴＲＡＣＴと示される。
【０１４６】
心収縮のモニタリングは特に、たとえば緊急サービス車両に統合されたモバイルデバイスまたは携帯デバイスを用いた本発明のプロセスの適用にとって興味深い。この実施形態における本発明の携帯デバイスは、イメージングシステムを備えない。逆に、モバイルデバイスは、患者に適用される１つまたは複数の刺激が実際に生理学的影響を生じたことを確認するために心臓の収縮の存在を測定することを可能にする。
【０１４７】
図２は、心臓のＥＣＧのシーケンスの一例を示す。表される心電図のシーケンスは、心筋の２つの収縮１および２を含む。
【０１４８】
時間２０で始まる波Ｐは心耳の脱分極に対応し、時間２１で始まる、心室の脱分極を含むＱＲＳ複合体、ＱＲＳ複合体とマージされた心耳の再分極が続き、最後に、Ｔ波が、時間１３における心室の再分極に対応する。
【０１４９】
キャビテーションのモニタリング
一実施形態によれば、本発明のモニタリングプロセスならびに刺激プロセスは、集束ゾーン内のキャビテーションのレベルを計算するステップを含む。キャビテーションの現象は、放出された超音波の振動によって生成された集束領域内の気泡の発生の現象に基づく。
【０１５０】
発生し得る２つのキャビテーションは区別され得る：
−  安定キャビテーション。集束ゾーン内またはその近くでの気泡の発生の現象に対応する。気泡は潜在的に、組織の変位に有利である。
−  慣性キャビテーション。安定キャビテーションの連続である。気泡が蒸発または破裂し、これによって、組織の損傷が発生可能であるが、ゾーンを刺激することもできる。慣性キャビテーションの現象は、局所的に特定の閾値を超えた陰圧の生成によって生じる。
【０１５１】
キャビテーションの現象は、キャビテーションのレベルを測定するためのデバイスによって決定され得る。例示的な一実施形態によれば、そのデバイスは、図１ではＳＹＳ＿ＣＡＶと示される、集束ゾーン内またはその近くでのキャビテーションのレベルＡＣＱ＿ＣＡＶの検出のための超音波デバイスであってよい。このデバイスは、１つまたはいくつかの超音波のセンサと、集束ゾーン内またはその近くで反射される超音波のスペクトル分析ＡＣＱ＿ＵＳを実行するコンピュータとを備える。
【０１５２】
一実施形態によれば、コンピュータＫ１は、機器の異なるアイテムによって実行された、キャビテーションのレベルＡＣＱ＿ＣＡＶ、組織変形ＡＣＱ＿ＤＥＦ、温度ＡＣＱ＿Ｔのさまざまな測定値を集中化させることを可能にする。測定値は、閾値と潜在的に比較される。これらの測定値のあらかじめ定義された閾値が超過されたことにより、アラームがリアルタイムで生成され得る。ディスプレイＡＦＦ＿２は、これらの値および機器の異なるアイテムによって獲得された画像を表示することを潜在的に可能にする。
【０１５３】
別の実施形態によれば、機器の各アイテムは、専用コンピュータおよび専用ディスプレイに結合され得る。
【０１５４】
スペクトルが大きく広がるほど、すなわち、集束ゾーン内またはその近くのノイズが多いほど、重要と決定されるキャビテーションの現象が多い。閾値は、異なる心臓適用例に関する刺激のために特に使用される信号の振幅および持続時間の値を較正するために、本発明のモニタリングプロセスから定義および決定され得る。
【０１５５】
一実施形態によれば、刺激方法の実行中に実行されるモニタリングは、キャビテーションの現象の重要性を表すレベルをリアルタイムで検出する。刺激方法は、測定されるレベルを動的に考慮し得る：
−  高レベルが高すぎる場合、１つもしくは複数のビームを停止するため、
−  または、パルス持続時間振幅設定ポイントによって焦点で生成される圧力のレベルを自動的に構成するため。
【０１５６】
標的ゾーン内のキャビテーションの現象は、本発明のプロセスによっても測定され得る：
−  この現象によって本質的に生成される組織変形の外挿によって、
−  または、先に指定されたように、反射された信号のスペクトル分析によって、体外の超音波センサによって、
−  または、標的ゾーンの近くに位置決めされた心腔内超音波センサによって。
【０１５７】
前記の実施形態と組み合わせ可能な別の実施形態によれば、キャビテーションのレベルの測定値は第１の閾値と比較され、組織変形の測定値は第２の閾値と比較される。
【０１５８】
キャビテーションのレベルが第１の閾値を超過するとき、損傷の第１のリスクが識別される。組織変形の測定値が第２の閾値を超過するとき、損傷の第２のリスクが識別される。２つのリスクを考慮することを可能にするアルゴリズムによって、たとえば放出される超音波信号を自動的に中断することによって、較正手順または刺激手順を停止するための設定ポイントを生成することが可能になり得る。関心は、心臓のゾーンを刺激するまたはリスクの検出を改善することを目的として介入を左右する安全性手順を強化することである。
【０１５９】
最後に、別の関心は、２つの異なる手段による二重リスク評価に基づいて経時的に二重インジケータを取得する可能性にある。実際、キャビテーションのレベルを測定する超音波センサは、毎秒１０から５０００の間の信号を獲得し得るが、たとえばＭＲＩを使用する組織変形センサは、毎秒０．５から１０の信号の獲得リフレッシュレートを必要とすることになる。したがって、キャビテーションのレベルの第１の測定を実行することを可能にする計算手段を備えるシステムを利用可能とすることが可能であり、第１のリスクが識別されたとき、変形のレベルの進展の検出が、識別される第１のリスクの検出に成功した時間枠において分析され得る。したがって、可能な限り早く集束信号の中断を引き起こすことが可能である。
【０１６０】
そのうえ、キャビテーションのレベルの第１の超過は、それでも第２の閾値が超過されることなく組織変形の進展を分析することにつながり得る。その場合、その分析は、変形する組織の傾向に関したものであり、第２の所与の閾値の超過に関するものではない。したがって、本発明のプロセスのおかげで、可能な限り早く信号の生成を中断することが可能である。
【０１６１】
一代替形態によれば、キャビテーションのレベルの測定値は、もはや組織変形の測定値と相関されず、集束ゾーン内またはその近くでの電気活動と相関される。後者の場合、同じ処理が、特に経時的に機器の異なるアイテムによる信号の分析に関して、これらの２つの測定値に適用され得る。
【０１６２】
アルゴリズムはまた、２つの閾値が超過されるとき、超音波信号の中断の発生を一意に可能にし得、第１の閾値はキャビテーションのレベルに関し、第２の閾値は、たとえば、組織の変形に関する。この他のオプションは、測定値を、たとえばＭＲＩまたは超音波デバイスなどの測定装置の誤差とみなすことを可能にする。
【０１６３】
したがって、本発明のプロセスは、そのような動作中に損傷を引き起こすことを回避するためにゾーンの刺激をモニタするための異なる方策を定義することを可能にする。第１の方策は、最大安全度を保証することに相当し得る。この場合、閾値の単一超過は、信号のビームの中断を引き起こすことを可能にする。第２の方策は、測定誤差の除去を保証することに相当する。この場合、プロセスは、機器の異なるアイテムの測定値の２つの閾値が超過された場合に損傷が生じることを確認することを可能にする。
【０１６４】
機器の異なるアイテムを用いて測定される量に対応する複数の測定にプロセスが適用されることに留意されたい。
【０１６５】
したがって、３つのタイプの信号の相関は、３つの閾値に対する比較を行うことによって実行され得る。たとえば、キャビテーションのレベルは第１の閾値と比較され、組織変形は第２の閾値と比較され、電気活動は第３の閾値と比較される。モニタリング方策は、３つのうち２つの閾値を超過すれば、超音波信号の中断を引き起こすのに十分であるというものであり得る。この解決策は、安全性の増加（３つのうち２つの装置がリスクを検出した）と測定誤差を考慮すること（３つのうち１つの装置が何も検出しない）の折り合いをつけることを可能にする。他の可能性は、最大安全性に有利である構成が望ましいかどうか：少なくとも１つの閾値が超過されることが、チームの中断につながる、に応じて決められてもよいし、測定誤差が考慮される構成が望ましいかどうか：ビームの中断をもたらすためには、３つの閾値が超過されなければならない、に応じて決められてもよい。
【０１６６】
組織変位のモニタリング
超音波信号のビームの生成ＧＥＮ  ＦＵＳは、集束ゾーンＺＦ内と、おそらくこのゾーンのかなり近くで、組織の変位によって、局所化された超音波スラストを生成することを可能にする。
【０１６７】
超音波スラストは、このスラストの生成に結び付けられたまたは結び付けられていない二次的現象を伴い得る。第１の現象は、集束ポイントにおいてビームによって誘発される分子の擾乱（ｍｏｌｅｃｕｌａｒ  ａｇｉｔａｔｉｏｎ）に結び付けられる。第２の現象は、集束ビームによって誘発されるキャビテーションに結び付けられる。
【０１６８】
キャビテーションの現象が、集束ゾーン内またはその近くでの微小気泡の発生の背後にあり、これは、以下ができる：
−  組織の収縮によって誘発される組織の変位の影響または電気活動の伝播を改善する、安定キャビテーションという用語が使用される、
−  または、特定の閾値を超える局所的に陰圧の生成によって組織を破壊する、のどちらか。陰圧閾値を超えると、気泡の破壊すなわち気泡の蒸発は、したがって、組織内で病変を作り出し、この場合、慣性キャビテーションという用語が使用される。
【０１６９】
本発明のプロセスは、超音波信号の構成により、組織の破壊を回避するために、有利にはキャビテーションの影響を制御することによって、組織の変位を生成することが可能である。
【０１７０】
１つの関心は、超音波放射力が電気活動を誘発できることに加えて、キャビテーションの現象によって、組織に加えられる機械的応力が誘発され得ることである。
【０１７１】
短い持続時間のパルスに対応する所与の閾値よりも短い持続時間にわたってパルスが生成されるとき、集束ゾーンの加熱を最小にしながら電気活動を誘発することが可能である。
【０１７２】
組織の変位は、ＭＲＩイメージングシステムなどのイメージングシステムのおかげで取得され得る。この場合、利点は、機器の単一アイテムが、標的ゾーンおよび集束ゾーンの位置、ならびに温度および組織の変位の変動の定量化を取得することを可能にすることである。
【０１７３】
温度の変化によるデフェージングと局所的な変位によるデフェージングとの固有の差のおかげで可能である、単一ＭＲＩイメージング機器によって温度および組織の変形の測定が実行されるとき、これらの２つの影響は同時に弁別および測定され得る。この解決策は、したがって、使用される機器のアイテムの数ならびに組織変形データおよび温度データを同じ獲得から推論するように実施するための計算の単純化の視点から有利である。
【０１７４】
したがって、機器のこれらの２つのアイテムの結合は、単一獲得方法による心臓組織の温度および変位に同時に追従することを可能にする。
【０１７５】
最後に、組織変形の測定は、たとえば、凝固壊死が終了したことを記録するために、モニタリングプロセス中に標的ゾーン内に組織の弾性のレベルを較正することを可能にする。さらに、モニタリングプロセスによって、アブレーションが成功したことを確認することが可能になるとき、アブレーション中の弾性のレベルとあらかじめ実行された測定との比較によって、到達するべきレベルに応じてアブレーションされるゾーンの比率を定量化することが可能になる。
【０１７６】
組織変形は、先に規定したように、ＭＲＩイメージングシステムから測定され得る。他のイメージングシステムによって、組織の変形または弾性をモニタすることが可能になるとき、他のイメージングシステムが使用されてよい。別の実施形態によれば、組織変形は、組織変形を測定する集束ゾーン（ＺＦ）の近くに導入された超音波プローブを備えるカテーテルによって測定され得る。任意選択で、圧力プローブを備えるカテーテルが、組織変形を推論するために集束ゾーンの近くで使用され得る。
【０１７７】
一実施形態によれば、温度変動の測定に関して、コンピュータＫ１は、位置設定ポイントを回復することによって標的ゾーンの位置を、または画像処理によって集束ゾーンＺＦの位置を回復することを可能にする。ステップＶＥＲＩＦ＿１は、位置決めシステムＳＹＳ＿ＰＯＳによるイメージングデータＩＭＧの回復を可能にする。したがって、組織の変位の変動は、回復された位置に対して制御された領域内で自動的に計算され得る。コンピュータは、パラメータの他の計算のために使用されるコンピュータまたは組織変形の測定に専用のコンピュータと同じであってよい。組織の弾性の測定値は、組織の変位／変形から推論され得る。
【０１７８】
さらに、図１では、ステップＶＥＲＩＦ＿１はまた、イメージングシステムＩＭＧと位置決めシステムＳＹＳ＿ＰＯＳとの間の弾道の較正をモニタするステップを指し得る。このモニタリングは、１つのアイテム機器によって評価された空間内のポイントの位置が実際に、機器の別のアイテムによって評価された空間内のポイントの位置に対応することを確認することにある。
【０１７９】
別の実施形態によれば、温度測定および変形測定は、機器の異なるアイテムによって実行される。温度測定は、たとえば、ＭＲＩイメージングシステムによって実行されてよく、組織変形測定は、超音波イメージングシステムによって実行されてよい。
【０１８０】
イメージングシステムが使用されるとき、ディスプレイＡＦＦ＿２によって獲得された画像の２Ｄ断面もしくは３Ｄスライスまたは３Ｄ画像の領域上で局所的に組織変形ＡＣＱ＿ＤＥＦを視覚化することが可能である。ディスプレイは、考慮された心臓の領域の温度を視覚化することを可能にするディスプレイまたは専用ディスプレイと同じであってよい。
【０１８１】
適用例／ＥＣＧとの同期
適用例に応じて、超音波による刺激は、心耳および／もしくは心室の脱分極中または心耳および／もしくは心室の再分極のいずれかで実行される。
【０１８２】
この同期を実行するために、集束超音波信号ＦＵＳのビームは、所望の生理学的影響に応じて、心臓組織の再分極中または脱分極中に刺激が実行される時間窓を選択するように心臓のＥＣＧの調律と同期される。
【０１８３】
たとえば、較正中の刺激の適用は、弾道のモニタリングに関する。弾道のモニタリングによって、標的ゾーンの位置が実際に集束ゾーンの位置に対応することを保証することが可能になる。実際、心臓のゾーンの刺激を実行するためにシステムを使用する前の、機器の異なるアイテムの位置の較正は、プロセスの精度の増加をもたらす。したがって、弾道の較正は、フェーズドアレイの位置決めシステム、制御のために使用されるたとえばイメージングシステムまたは位置プローブを較正することを可能にする。
【０１８４】
弾道の較正に関する適用例では、本発明のプロセスは、期外収縮を誘発しないように心耳および／または心室の脱分極後に集束ゾーンの刺激を生成することを可能にする。本発明の較正プロセスは、したがって、心拍動の正確な瞬間に集束ビームを生成するようにＥＣＧとのフェーズドアレイの同期を含む。
【０１８５】
心室再同期または心耳再同期などの他の刺激適用例によれば、フェーズドアレイは、心周期の別の瞬間に、ＥＣＧと同期される。この場合、実行されることが望まれる適用例にしたがって、刺激は、心耳および／または心室の再分極後に実行される。したがって、ＥＣＧは、所望の生理学的影響により心臓組織を所望の瞬間に刺激するためにフェーズドアレイを同期させることを可能にする。
【０１８６】
細動の生成または期外収縮の生成などの適用例では、刺激はまた、心耳および／または心室の再分極中に実行される。心臓細動の生成では、刺激は有利には、ＥＣＧのＴ波の間に生成される。
【０１８７】
図３Ａは、心臓の標的ゾーンＺＣをモニタするために、前記ゾーン内における、振幅Ａ１および持続時間Ｄ１の超音波信号ＦＵＳのビームのパルスを表す図であり、総適用持続時間はＤＳＩＧＮＡＬと指定される。本発明のモニタリングプロセスによって、較正パルスから、組織の損傷を引き起こすことなく電気刺激の閾値を定義することが可能になる。
【０１８８】
心臓の標的ゾーンＺＣの刺激のためのパルスの振幅Ａｉおよび持続時間Ｄｉは、優先的に機械的損傷を、または優先的に熱的損傷を最小にするように選ばれる。
【０１８９】
図３Ｂは、心臓の少なくとも１つの標的ゾーンＺＣの刺激のための、前記ゾーン内でのパルスの連続を含む集束ビームの生成を表す。パルスは、あらかじめ定義された標的ゾーンの位置に対して制御された心臓の領域内で印加される。
【０１９０】
図３Ｂの信号は、持続時間Ｄ２にわたって振幅Ａ２を有し、時間間隔Ｄｉによって分離され、印加の総持続時間はＤＳＩＧＮＡＬと指定される。信号の振幅は、パスカル単位で示される、集束ゾーン内で誘発される音圧のレベルを表し得る。別の代表的な実施形態によれば、信号Ａ２の振幅は、集束ゾーンＺＦ内でコヒーレントな様式で再構成（ｒｅｃｏｍｐｏｓｅ）された超音波ビームの振幅を表し得る。集束ゾーン内で再構成される超音波ビームの振幅と、集束ゾーン内でビームによって誘発される音圧は、これらの概念の一方または他方が図３Ｂの信号を説明するために普通に引き合いに出され得るように結び付けられる。
【０１９１】
第１の実施形態では、パルスは、集束ゾーンＺＦ内の音圧Ａ２が、持続時間範囲［１−５０ｍｓ］に含まれるパルスの持続時間Ｄ２にわたって［２−８ＭＰａ］という圧力範囲に含まれるように構成される。生成されたパルスは、患者または動物のＥＣＧと同期される。値のこれらの範囲は、閾値よりも低い心臓組織の機械的損傷の閾値を維持しながら電気刺激を引き起こすために特に有利である。前記閾値は、収縮もしくは弛緩の所与の比率または組織の弾性に対応するパラメータから計算される。
【０１９２】
第２の実施形態では、パルスは、集束ゾーンＺＦ内の音圧Ａ２が、持続時間範囲［５０μｓ−１ｍｓ］に含まれるパルス持続時間Ｄ２にわたって［８−１２ＭＰａ］という圧力範囲に含まれるように構成される。
【０１９３】
値のこれらの範囲は、たとえば温度閾値であってもよい閾値よりも低い心臓組織の熱的損傷の閾値を維持しながら電気刺激を引き起こすために特に有利である。そうするために、温度のモニタリングは、パルスの生成中に発生し得る可能な熱的損傷をモニタすることを可能にする。たとえばＭＲＩのおかげで、局所的に測定される温度は、発生し得る熱的損傷のリスクを示し得る。
【０１９４】
したがって、パルスは、標的ゾーン（ＺＣ）内で局所的に温度を温度閾値（ＴＭＡＸ）よりも低く維持しながら心臓組織内で電気刺激を引き起こすために生成される。
【０１９５】
一実施形態によれば、持続時間Ｄ３は有利には、２００ｍｓよりも長い。一実施形態によれば、持続時間Ｄ３は有利には、ＱＴ間隔に含まれる。一構成によれば、パルスは、各心拍周期で生成される。他の構成によれば、いくつかの心拍動周期は、各パルスの生成を分離し得る。
【０１９６】
すべての実施形態において、集束ゾーンに隣接するゾーンのアクティブモニタリングが、標的ゾーンＺＣに隣接するゾーンを損傷しないように、電気活動の測定および／または組織変形の測定および／またはキャビテーションのレベルの測定および／または心臓の標的ゾーンＺＣに隣接するゾーンの温度の測定によって実行され得る。
【０１９７】
すべての実施形態では、刺激方法は、たとえば信号のパルスおよびイメージングシステムによって実行され得る、弾道のモニタリングを含み得る。刺激方法中のこのモニタリングによって、較正プロセス中に較正された位置の較正が適切に維持されることを確認することが可能になり得る。この場合、モニタリングは、集束ゾーンＺＦと標的ゾーンＺＣが合併されているまたはかなり近いという確認を含む。
【０１９８】
図４は、心臓の標的ゾーンＺＣ内での超音波信号ＦＵＳのビームのパルス４２、４３の振幅および持続時間による、前記ゾーンのレベルにおける温度の進展４０、４１、組織の変形４７、４７、およびキャビテーションの現象４８に対応する図を表す。集束ビームを定義する値の想定範囲により、２つの特殊な場合が表されている。
【０１９９】
表されている曲線は、特定の臨界点を示す。逆に、プロットの形状は、試験中に取得された曲線上に正確に表されていない。
【０２００】
組織変形４７、４７’およびキャビテーションの現象４８、４８’は、同じグラフ４４および４５に表されている。
【０２０１】
第１の特殊な場合によれば、心臓の標的ゾーンＺＣ内に印加されるパルス４２は、［１ｍｓ；５０ｍｓ］の間に含まれる持続時間Ｄ１にわたって［２ＭＰａ；８ＭＰａ］の間に含まれる振幅Ａ１を有する。［４ＭＰａ；８ＭＰａ］という振幅値の範囲によって、組織の熱的および機械的な破壊影響を著しく制限しながら心臓組織の刺激を取得することが可能になる。
【０２０２】
持続時間Ｄ１の終了時に、Ｔｍｅｓ＿１と示される標的ゾーンＺＣの測定温度２３は、心臓組織が熱傷によって損傷され得る最高温度ＴＭＡＸに近い。心臓組織の変形４７が観察され得る。有利には、較正プロセスによって、Ｔｍａｘが超過されないパルスの持続時間の値Ｄ１を評価することが可能になる。
【０２０３】
この第１の特殊な場合では、図５Ａおよび図５Ｂのグラフ５１において、集束ゾーンの組織に対して局所的に熱的損傷５２が生じる確率ＰＲＯＢ＿ＤＴ  および機械的損傷が生じる確率ＰＲＯＢ＿ＤＭが、所与の振幅Ａ１の間のパルスの印加の持続時間Ｄ１に応じて表されている。
【０２０４】
曲線５２は、パルスの持続時間Ｄ１が長いほど、熱的損傷５２の発生の確率が高いことを示す。
【０２０５】
ＤＤＴと示される持続時間閾値が示されており、この閾値を超えると、パルス４２が、熱的損傷を引き起こすことが可能な加熱をもたらす。この閾値持続時間ＤＤＴは、所与のパルス振幅に対して計算される。熱的損傷５２が制限される持続時間の値の範囲ＰＤが表されている。
【０２０６】
図５Ｂに表されている同じグラフは、持続時間Ｄ１が所与のパルス振幅のための閾値持続時間よりも短い例示的な場合を表す。この場合、熱的損傷は無視できるほどであり、またはゼロでさえある。
【０２０７】
したがって、パルスの印加の持続時間は、局所的な温度の増加が組織の熱的損傷を引き起こす閾値持続時間を超過しないように較正され得る。この局所的な温度は、ＭＲＩなどのイメージングシステムのおかげで測定され得る。標的ゾーンＺＣの位置を回復するコンピュータは、集束ゾーンＺＦ内またはその近くで局所的な温度または温度の変動などのデータをＭＲＩから抽出し得る。
【０２０８】
特殊な場合の第１の利点は、ビームの超音波スラストによって誘発される組織の変形を生成しながら熱的損傷をモニタすることができることである。局所的に加えられる組織に対する超音波スラストは、器官内で伝播する組織の収縮の影響によって取得される心室または心耳の全体的脱分極の発生に有利になり得る。
【０２０９】
この特殊な場合の第２の利点は、集束ゾーン内またはその近くで超音波スラストの振幅が閾値よりも小さい集束ビームを生成することである。この閾値は、図４および図５に示されている：「Ａｄｅｓｔｒｕ」。閾値Ａｄｅｓｔｒｕは、組織上でそれを超えると機械的損傷が生じる、集束ビームの超音波スラストの振幅閾値に相当する。機械的損傷は、局所的に微小気泡の生成に有利であるキャビテーションの現象の結果であり、この微小気泡はスラストの影響下で破壊される。後者は、破壊中に組織を損傷する。
【０２１０】
したがって、この第１の特殊な場合は、心臓組織の機械的損傷を引き起こさないようにパルスの振幅が管理され、その持続時間も熱的損傷を引き起こさないように管理される、集束ビームを作成することを可能にする。
【０２１１】
第２の特殊な場合によれば、心臓の標的ゾーンＺＣ内に印加されるパルス４３は、［５０μｓ；１ｍｓ］の間に含まれる持続時間Ｄ１にわたって［８ＭＰａ；１２ＭＰａ］の間に含まれる振幅Ａ１を有する。
【０２１２】
持続時間Ｄ１の終了時に、標的ゾーンの測定温度２３’ＺＣ  Ｔｍｅｓ＿２は、最高温度ＴＭＡＸによって特に示される臨界温度閾値よりも低い。そのようなパルスの場合が図５Ｂに表されている。パルスは短い持続時間、すなわち１ｍｓ未満であり、組織は加熱する時間がほとんどない。刺激は本質的に、キャビテーションの現象によって引き起こされる。超音波スラストによって生成される組織の変形４７’は、１ｍｓ未満では小さい。
【０２１３】
この特殊な場合は、組織の熱的損傷がないという視点から興味深く、組織の熱的損傷は、１ｍｓ未満のパルスの持続時間では発生することができない。ゾーン５９内でＴｄｅｓｔｒｕを超えて延びる曲線５２’の一部は、持続時間ＤＤＴを超過するであろうパルス４３を考慮することによって表されている。この特殊な場合では、熱的損傷が生じるであろう。グラフ５４において、Ｔｄｅｓｔｒｕの前は、図５Ａおよび図５Ｂの熱的損傷５２’は無視できるほどであり、ゼロですらあることに留意されたい。
【０２１４】
この特殊な場合では、非常に短い持続時間にわたって超音波スラストが生成されるということにより、組織の粘弾性は、組織が刺激に対する機械的応答を生成することを可能にしない。
【０２１５】
図５Ａでは、示された範囲内での振幅が高い場合、キャビテーションの現象４８’が一意に観察される、すなわち、微小気泡の生成が心臓組織に対して機械的影響を及ぼす。図４では、キャビテーションの現象を表す曲線４８、４８’がパルスの振幅Ａ１、Ａ１’のレベルに依存することが観察され得る。実際、曲線４８と４８’を比較することによって、図４の右側でのキャビテーションの現象４８’は、図４の左側で表されるような振幅Ａ１よりもパルスの振幅Ａ１’が大きいとき、より重要である。
【０２１６】
図５Ａは、グラフ５４において、パルスの振幅のレベルが閾値Ａｄｅｓｔｒｕを上回るとき集束ビームの印加中またはその後に機械的損傷が生じる確率ＰＲＯＢ＿ＤＭを表す曲線５５を表す。この確率ＰＲＯＢ＿ＤＭは、図５Ａおよび図５Ｂの曲線５５で示されるように、集束ビームの振幅の増加とともに増加することに留意されたい。組織の損傷は本質的に、この例示的な場合では、慣性キャビテーションの現象に結び付けられる：微小気泡が爆発または蒸発し、心臓組織内で病変を作り出す。この現象は、次いで、機械的損傷を伴う。非常に短い期間にわたってビームを印加しても、集束ゾーン内の組織の温度の上昇は可能にならない。
【０２１７】
図５に表される、機械的損傷５５が最小または無視できるほどですらある、集束ビームの振幅の範囲ＰＡが存在する。有利な場合が図５Ｂに示されており、図５では、機械的損傷５５は非常に低いレベルに維持される。
【０２１８】
振幅が振幅閾値Ａｄｅｓｔｒｕよりも小さい集束ビームの生成によって、慣性キャビテーションの現象４２に結び付けられた機械的損傷を制限することが可能になる。
【０２１９】
この第２の特殊な場合では、本発明のプロセスは、慣性キャビテーションの破壊現象（この現象は機械的損傷を引き起こすことができる）を回避することを可能にする値の範囲内に振幅があるいわゆる「短い」パルスを生成することを可能にする。したがって、この短いパルスは、それを超えると心臓組織の熱的損傷が生じ得る持続時間よりも短い持続時間を有する。
【０２２０】
第２の特殊な場合に結び付けられた利点は、キャビテーションが１つまたはいくつかの標的ゾーンに適用されると、キャビテーションの現象が心室または心耳の全体的脱分極につながり得ることである。この第２の特殊な場合は、たとえば図５Ｂの右側に表されるなどのパルスを用いて、損傷を引き起こすことなく心臓を電気的に刺激することを可能にする。したがって、パルスの持続時間および振幅はモニタされ、心臓の刺激のために１つまたは複数の集束ビームを定義するように構成される。
【０２２１】
すべての実施形態において、標的ゾーンＺＣまたはそのすぐ近くでの組織変形および温度の測定は、単一のイメージングシステムによって実行され得る。上記で規定したように、一実施形態によれば、前記イメージングシステムはＭＲＩイメージングシステムであってよい。別の実施形態によれば、たとえばＭＲＩイメージングシステムおよび超音波イメージングシステムなどの機器の２つの異なるアイテムが、集束ゾーン内またはその近くでの温度および変形を決定するために組み合わされてよい。
【０２２２】
組織に生じ得る熱的損傷は、たとえば、高熱タイプまたは凝固タイプである。
【０２２３】
機械的損傷は、キャビテーションの現象によって誘発されるとき、たとえば、以下であり得る。揮発、蒸発、または気泡の破裂が、組織内で病変を引き起こす。
【０２２４】
図６Ａは、持続時間Ｄ４のパルスの列を含む標的ゾーン内に印加される第１の集束ビーム５０を表す。
【０２２５】
この実施形態によれば、パルスの振幅Ａ４は、機械的損傷および熱的損傷を制限しながら標的ゾーンＺＣを刺激するように、値の範囲［１ｍｓ−５０ｍｓ］に含まれる持続時間Ｄ４に対する値の範囲［２ＭＰａ；８ＭＰａ］に含まれる。したがって、心室または心耳の再分極を誘発可能な電気活動の生成は、組織に適用される超音波スラストに結び付けられ、組織は収縮する。
【０２２６】
図６Ｂは、持続時間Ｄ４のパルスの列を含む標的ゾーン内に印加される第２の集束ビーム５１を表す。
【０２２７】
この実施形態によれば、パルスの振幅Ａ４は、機械的損傷および熱的損傷を制限しながら標的ゾーンＺＣを刺激するように、値の範囲［５０μｓ−１ｍｓ］に含まれる持続時間Ｄ４に対する値の範囲［８ＭＰａ；１２ＭＰａ］に含まれる。この場合、心室または心耳の再分極を誘発することが可能な電気活動の生成は、したがって、微小気泡によって組織が収縮することが可能になるキャビテーションの現象に結び付けられる。
【０２２８】
実行された試験によれば、以下の構成によって、事例の９０％で心臓の組織の刺激で終わることが可能になった。これらの試験では、各刺激は、集束ゾーン内および／またはその近くでいかなる熱的損傷または機械的損傷も引き起こさなかった：
−  第１の構成は、１ｍｓのパルス持続時間に対して、音響信号の正の振幅が６ＭＰａである集束ゾーン内での圧力レベルを生成することを可能にし、音響信号の対応する負の振幅は４ＭＰａであった。パルスの音圧および持続時間の数値は、この例では、公称値から１０％変動し得る。
−  第２の構成は、５０μから１ｍｓのパルス持続時間に対して、音響信号の正の振幅が１０ＭＰａである集束ゾーン内での圧力レベルを生成することを可能にし、音響信号の対応する負の振幅は６ＭＰａであった。音圧の数値は、この例では、公称値から１０％変動し得る。
【０２２９】
超音波造影剤が使用されるとき、音圧閾値の低下は、集束ゾーン内での集束信号のパワーの減少によって得られ得る。数百ＭＰａから数ＭＰａの低下は、以下のものに応じて取得され得る：
−  造影剤の投与のモード
−  その量
−  患者の生理学的データ、または
−  造影剤の投与後にビームが生成される期間。
【０２３０】
心臓刺激の適用
本発明によるプロセスは、心臓刺激を必要とするさまざまな適用例により使用されてよい。
【０２３１】
さらに、心臓刺激方法は、治療適用以外の目的に適用され得る。一例として、心臓刺激方法は、心臓の領域内での組織変形を分析することによって、この領域を電気的にマッピングするために適用されてよい。別の適用例は、心臓の領域内のキャビテーションの現象の分析に関する。他の適用例も可能である。
【０２３２】
第１の適用例は、心臓再同期に関する。その場合、超音波信号のビームの各パルスはＥＣＧの調律と同期され、各パルスは、心室または心耳の脱分極の開始と再分極の終了との間に生成される。
【０２３３】
左心室と右心室を再同期させることが求められるとき、第１の実施形態は、関係する心室の再分極中に心室の標的ゾーン内での少なくとも１つの集束ビームのパラメータ化と、２つの心室の脱同期オフセットを考慮することとを含む。したがって、刺激は、電気活動を生成し、それによって２つの心室間で同期された新しいＱＲＳ複合体を発生させ得る。
【０２３４】
第２の実施形態は、少なくとも心室の各々において集束ビームを発生させるためにフェーズドアレイのパラメータ化を含む。この場合、２つのビームが２つの心室の再分極中に生成されるが、心室の脱同期を補償する持続時間によって分離される。
【０２３５】
心耳の再同期の同じプロセスは、心耳の再分極の期間中に１つまたはいくつかの集束ビームを生成することによって適用され得る。
【０２３６】
心室または心耳の再同期を引き起こす心臓の刺激は、図４から図６Ｂで説明された２つの特殊な場合のうちの１つにおいて定義されるような１つまたは複数のパルスによって生成され得る。
【０２３７】
本発明の刺激方法は、心室または心耳の恒久的な再同期を保証するためにパルスを生成する心臓に固定された電極またはプローブの留置をシミュレートすることを可能にする。本適用例は特に、心臓の表面に固定されるインプラントプローブを受け入れることが可能な心臓のゾーンの検出のために有利である。インプラントプローブは特に、同様に皮膚下にインプラントされた構成要素からパルスを生成するために心室脱同期または心耳脱同期の検出に役立つ。現在のインプラント型デバイスの識別されている問題は、プローブが不応答ゾーン上に固定されることがあることである。
【０２３８】
したがって、本発明の刺激方法は、ゾーンを最終的に設定する前に、刺激に反応するゾーンを選択することを可能にする。
【０２３９】
本発明のプロセスの適用は、たとえば心臓再同期後に心臓が適切に機能することをモニタすることを可能にする。この目的のために、イメージングシステム、たとえばＭＲＩは、たとえば心臓によって駆出される血液の割合を測定することによって、心機能の改善を測定することを可能にする。
【０２４０】
刺激プロセスの第２の適用例は、心耳細動または心室細動の生成に関する。集束ビームの各パルスは、特にＴ波の生成の瞬間に心臓組織が分極される期間にわたって同期される。細動を引き起こす刺激は、図４から図６Ｂで説明された２つの特殊な場合のうちの１つにおいて定義されるように、１つまたは複数のパルスによって生成され得る。
【０２４１】
第３の適用例は、心臓不整脈を生成する心臓の１つまたは複数の特定のゾーンの検出に関する。不整脈が形成されると、不整脈が出現する時間をＥＣＧ上で位置特定することが可能であり、この時間はＴＦと示される。次いで、各パルスが、ＥＣＧ上で決定された識別された時間ＴＦと同期される。次いで、刺激方法が心臓の異なるゾーンにおいて実行される。集束ビームの生成の結果として生じる電気的応答の分析によって、標的ゾーンが、期外収縮を生成するゾーンに相当するかどうかを決定することが可能である。段階的に、異なる標的ゾーン内での異なる刺激の適用によって、期外収縮を生成するゾーンを識別することが可能である。ＥＣＧの分析によって、逆調節（ｄｅｒｅｇｕｌａｔｉｏｎ）が明らかになり、刺激されたゾーンが不整脈を引き起こすことを確認することを電気的に可能にし得る。期外収縮を生成するゾーンの検出を可能にする刺激は、組織の熱的損傷および機械的損傷を監視し、避けるように、図４から図６Ｂで説明される２つの特殊な場合のうちの１つにおいて定義されたような１つまたは複数のパルスによって生成され得る。
【０２４２】
第４の適用例は、心臓の１つまたは複数の電気的に不応答なゾーンの検出に関する。たとえば、本発明の刺激方法は、アブレーションされた部分、熱傷した部分、もしくは壊死した部分が不応答ゾーンであることを確認するために、または不応答ゾーンが正確にもはや存在しないことを確認するために、心臓のゾーンのアブレーションの後適用され得る。たとえば電気カテーテルによる電気的応答の分析は、局所的に電気活動を推論することを可能にする。パルスの持続時間が１ｍｓを上回るとき、これは第１の特殊な場合のパルスに相当するが、組織の変形と電気活動との間の対応表が使用されてよい。この後者の場合、電気カテーテルは、ＭＲＩなどの、組織の変位を視覚化することを可能にするイメージングに加えて使用されない限り、必要でない。
【０２４３】
第５の適用例は、本発明のプロセスによって生成される少なくとも１つの心臓刺激からの心拍周波数の変更の適用例に関する。この適用例は、医学分野では「ペーシング」とも呼ばれる。
【０２４４】
この場合、プロセスが、心調律の周波数を増加させるために使用され得る。次いで、超音波信号のビームの各パルスが、心調律を集束ビームのパルスと同期させるように、ＥＣＧ上で決定された周波数と異なる周波数で放出される。図４から図６Ｂに示される２つの特殊な場合のうちの１つは特に、所与の時間期間にわたって連続したパルス列によって使用され得る。この適用例は、心臓マッサージの代理とすることができる。
【０２４５】
システム−概要
本発明は、前述の適用例のうちの１つのための集束ビームの較正のためのモニタリングプロセスまたは刺激方法を実施することを可能にする、図１で説明されるシステムなどのシステムに関する。最後に、本発明のシステムはモジュール式であり、本発明の刺激を制御する問題を解決するために異なるやり方で使用されてよいことに留意されたい。
【０２４６】
第１の構成によれば、ＭＲＩを使用するイメージングシステムＩＭＧは、心臓の２Ｄ断面または３Ｄ断面において画像を生成することを可能にする。標的ゾーンの位置は、画像、特に集束ビームの印加に関する画像の、一部分の生成を制御することのみを可能にし得る。したがって、このゾーンを含む画像スライス上で集束ゾーンを視覚的に監視することが可能である。
【０２４７】
１つの事例によれば、ＭＲＩイメージングシステムは、標的ゾーン内またはその近くで、温度の変動を局所的に決定するように構成され、このモードはＭＲ−Ｔとして知られている。ＭＲＩイメージングシステムは、標的ゾーン内またはその近くで、組織変位の変動を局所的に決定するようにも構成されてよく、このモードはＭＲ−ＡＲＦＩとして知られている。２つのモードＭＲ−ＴおよびＭＲ−ＡＲＦＩは、同じ適用例において構成されるように互換性を持つ。
【０２４８】
別の事例によれば、温度モニタリングが、前述のようにＭＲＩイメージングシステムを使用して実行され、組織変形のモニタリングが、たとえば、心臓へと導入され局所的な圧力を測定するカテーテルによって実行される。組織変形は、超音波イメージングシステムからも推論され得る。
【０２４９】
位置決めシステムは、画像上のポイントの定義から、標的位置の心臓の基準フレーム内の座標の決定によって、設計され得る。次いで、標的ゾーンのこの位置は、集束ビームの生成のためにフェーズドアレイＲＥＳ＿ＵＳに送られ、それによって、この位置に対して、集束ビームが動的および自動的に制御される。
【０２５０】
一実施形態によれば、システムは、たとえば先に詳述された超音波デバイスによってキャビテーションのレベルを測定するためのデバイスＳＹＳ＿ＣＡＶを備える。
【０２５１】
一構成によれば、ＥＣＧは、たとえば患者の上に位置決めされた電極を使用して獲得される。ＥＣＧは、心周波数を再現することを可能にする他の任意の知られている手段によっても獲得され得る。
【０２５２】
心臓の電気活動を獲得するための単一システムは、本発明のプロセスによって生成される刺激によるＥＣＧおよび電気的応答を決定するために使用され得る。
【０２５３】
携帯心臓刺激デバイス
最後に、特定のモードは、図４から図６Ｂに示される２つの特殊な場合で説明される構成などの信号の所定の構成を備える携帯デバイスに関する。このデバイスは、図７に示されている。このデバイスは、超音波信号の発生器ＲＥＳ＿ＵＳを備え、この発生器は、集束ビームを形成する単一の信号または複数の信号を生成することができる。ビームが単一信号のみからなる場合、ビームは集束されることに留意されたい。ビームは、放出器から特定の距離のところに焦点を合わせるように事前構成される。図１に示される発生器ＲＥＳ＿ＵＳに留意されたいが、この実施形態では、超音波信号の発生器は必ずしもフェーズドアレイでない。一実施形態によれば、複数の焦点距離は、異なる構成、たとえば２から２０ｃｍの間に含まれる異なる距離を定義し得る。
【０２５４】
デバイスは、少なくとも心拍周波数を決定するために電気的手段ＳＹＳ＿ＥＬＥＣ＿１を備える。改善された一実施形態によれば、電気的手段ＳＹＳ＿ＥＬＥＣ＿１によって、完全なＥＣＧを決定することが可能になる。
【０２５５】
デバイスは、皮膚の表面に固定されるように設計される。患者の大きさに応じて、焦点距離がオペレータによって決定される。デバイスは、所与の特殊な場合によりビームをアクティブ化するための手段を備え、ビーム生成は、決定されると、心周波数およびＥＣＧと同期される。心周波数が一意に使用されるとき、心臓組織の再分極の瞬間が、心室および／または心耳の再分極に対応する時間窓を評価することを可能にするデバイスのコンピュータから計算される。心周波数が利用できないとき、これは心停止に相当するが、デバイスは、心周波数またはＥＣＧと同期せず、集束ビームの生成を可能にする。
【０２５６】
一実施形態によれば、ビームのさまざまな事前構成がデバイス内に存在する。
【０２５７】
例示的な一実施形態では、第１の特殊な場合に相当する３ビーム構成を備える第１の実施形態が存在する（特殊な場合６Ａに相当する、いわゆる長いパルス、いわゆる小さい振幅）。
【０２５８】
第１の構成はパルスの放出を備え、第２の構成は３つのパルスの放出を備え、第３の構成は６つのパルスの放出を備える。
【０２５９】
第２の特殊な場合に相当する３ビーム構成を備える第２の実施形態では（特殊な場合６Ｂに相当する、いわゆる短いパルス、いわゆる大きい振幅）。
【０２６０】
第１の構成は１つのパルスの放出を備え、第２の構成は３つのパルスの放出を備え、第３の構成は６つのパルスの放出を備える。
【０２６１】
本発明のデバイスは、センサをさらに備え、心臓の機械的収縮が存在することを検出することを可能にする。
【０２６２】
一例として、血圧センサは、心臓の収縮が起こったことを検出することを可能にする。このセンサは、心臓パルスを測定するために手首に位置決めされてもよいし、心拍の存在を検出するために胸部に位置決めされてもよい。
【０２６３】
したがって、本発明は、緊急事態で使用され得る事前構成された携帯デバイスに関する。たとえば、これは、緊急サービス車両に搭載されて搬送されてもよいし、心事故が誰かに起こり得るエリア内に設置されてもよい。
【０２６４】
この搭載デバイスは、その大きさを制限することが望まれるとき、必ずしもイメージングシステムを備えない。イメージングシステムは、デバイスの製造中の信号の事前構成中に使用され得る。
【図１】
2017532090.tif 000003
【図２】
2017532090.tif 000004
【図３Ａ】
2017532090.tif 000005
【図３Ｂ】
2017532090.tif 000006
【図４】
2017532090.tif 000007
【図５Ａ】
2017532090.tif 000008
【図５Ｂ】
2017532090.tif 000009
【図６Ａ】
2017532090.tif 000010
【図６Ｂ】
2017532090.tif 000011
【図７】
2017532090.tif 000012
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
心臓のゾーンの刺激のために集束信号を較正するための方法であって、
−  心臓の心電図（ＥＣＧ）の少なくとも１つの周波数の獲得と、
−  標的ゾーン（ＺＣ）が位置特定された心臓の領域の少なくとも１つの画像の獲得であって、前記少なくとも１つの画像が、心臓の心電図（ＥＣＧ）から獲得された周波数と同期してイメージングシステムにより獲得される、獲得と、
−  標的ゾーン（ＺＣ）上に集束された集束超音波信号の第１のビーム（ＦＵＳ）の生成であって、前記ビームがフェーズドアレイ（ＲＥＳ＿ＵＳ）によって放出され、前記信号が、集束ゾーン（ＺＦ）において少なくとも１つのパルスを生成するように同位相で構成され、前記少なくとも１つのパルスが、心臓の心電図（ＥＣＧ）から獲得された周波数と同期され、パルスが、あらかじめ定義された振幅および持続時間を有する、生成と、
−  イメージングシステムによる少なくとも１つの画像の獲得からの集束ゾーン（ＺＦ）の温度の決定と、
−  第１の集束ビーム（ＦＵＳ）の少なくとも１つのパルスに応答した集束ゾーン（ＺＦ）内の組織変形の決定であって、パルスの振幅および／または持続時間が、前記変形が破壊閾値（Ａｄｅｓｔｒｕ）よりも小さいように構成される、決定と
を含むことを特徴とする方法。
【請求項２】
−  標的ゾーンの新しい位置を計算するために、フェーズドアレイ（ＲＥＳ＿ＵＳ）に結び付けられた基準フレーム内の心臓の呼吸運動に結び付けられた変位を測定し、それから補償パラメータを推論することを可能にする位置決めシステム（ＳＹＳ＿ＰＯＳ）による標的ゾーン（ＺＣ）の位置に対する集束ゾーン（ＺＦ）の位置の動的制御であって、前記フェーズドアレイ（ＲＥＳ＿ＵＳ）が、ビームを標的ゾーン（ＺＣ）の新しい位置に偏向させるために位相パラメータを各信号に自動的に適用する、動的制御
を含むことを特徴とする、請求項１に記載の方法。
【請求項３】
−  フェーズドアレイの位置および配向を考慮に入れることによって、フェーズドアレイ（ＲＥＳ＿ＵＳ）の画像平面内に投影された経肋骨壁の画像を、イメージングシステムにより決定すること、
−  経肋骨壁の投影された画像の位置に対するフェーズドアレイの要素の位置に従って、前記要素をアクティブ化および／または非アクティブ化すること
を含むことを特徴とする、請求項１または２に記載の方法。
【請求項４】
−  信号の各々に適用された各位相パラメータの計算に応じて、フェーズドアレイ（ＲＥＳ＿ＵＳ）の要素の非アクティブ化およびアクティブ化を動的に制御すること
を含むことを特徴とする、請求項１から３のいずれか一項に記載の方法。
【請求項５】
集束ゾーン（ＺＦ）内の温度および組織変形が単一イメージングシステムによって決定され、前記イメージングシステムがＭＲＩイメージングシステムであり、ＭＲＩイメージングシステムによって獲得されるデータによって、超音波信号のビームによって生成された超音波圧力によって誘発された組織の局所的変形および超音波信号のビームによって局所的に生成されたエネルギーによって誘発された局所的な温度上昇を推論することが可能になることを特徴とする、請求項１から４のいずれか一項に記載の方法。
【請求項６】
イメージングシステムによって決定された集束ゾーン（ＺＦ）の位置と位置決めシステムによって決定された標的ゾーン（ＺＣ）の位置の比較によって、集束ゾーンの位置を標的ゾーンの位置と対応させるようにフェーズドアレイの要素を較正するための少なくとも１つのデータが生成されることを特徴とする、請求項１から５のいずれか一項に記載の方法。
【請求項７】
位置決めシステムが、
−  位置が画像処理から計算されるＭＲＩイメージングシステム、
−  または、超音波を放出する少なくとも１つの放出器と、反射波を検出する複数の超音波センサとを備え、位置が三角測量によって決定される、位置決めシステム
のどちらかであることを特徴とする、請求項１から６のいずれか一項に記載の方法。
【請求項８】
−  第１の集束ビーム（ＦＵＳ）の少なくとも１つのパルスに応答した、集束ゾーン（ＺＦ）内またはそれに近いキャビテーションのレベル、
−  標的ゾーン（ＺＣ）内での少なくとも１つの超音波パルスの印加によって誘発される電気的脱分極によって生成される電気活動の測定、
−  少なくとも１つのパルスに応答した集束ゾーン（ＺＦ）内の電気活動の測定
のうちの少なくとも１つの測定を含むことを特徴とする、請求項１から７のいずれか一項に記載の方法。
【請求項９】
−  集束ゾーン（ＺＦ）内および／もしくは隣接ゾーン内および／もしくは経肋骨壁の肋骨内の温度設定ポイント、ならびに／または
−  集束ゾーン（ＺＦ）内の組織変形設定ポイント、ならびに／または
−  集束ゾーン（ＺＦ）内のキャビテーション設定ポイントのレベル、ならびに／または、
−  フェーズドアレイに結び付けられた基準ポイントにおける集束ゾーンの移動に結び付けられた少なくとも１つの変位の検出、ならびに／または
−  集束ゾーン（ＺＦ）内の電気活動設定ポイント
のうちの少なくとも１つのデータに応じて、パルスの振幅（Ａ）および持続時間（Ｄ１）の少なくとも１つのレベルを含むパラメータの定義により、集束ゾーン（ＺＦ）内で生成された信号を較正することを含むことを特徴とする、請求項１から８のいずれか一項に記載の方法。
【請求項１０】
集束ビーム（ＦＵＳ）によって生成され、標的ゾーン（ＺＣ）内またはその近くで測定される電気活動が、イメージングシステムによって取得された同じ標的ゾーン（ＺＣ）内の組織変形の測定と相関され、前記相関によって、所与の標的ゾーン（ＺＣ）の心臓組織の機械−電気活動のインジケータを決定することが可能になることを特徴とする、請求項８または９に記載の方法。
【請求項１１】
複数のパルスを含む第１の集束信号（ＦＵＳ）の較正を含み、各パルスが第１の持続時間（Ｄ１）、振幅を有し、前記信号が標的ゾーン（ＺＣ）内で持続時間（Ｄ２）にわたって印加されることを特徴とする、請求項１から１０のいずれか一項に記載の方法。
【請求項１２】
モニタリング方法のステップが心臓の異なる標的ゾーン（ＺＣ）内で実行され、方法が、集束信号（ＦＵＳ）のビームの印加後、
−  各標的ゾーン（ＺＣ）の組織変形、または各標的ゾーン（ＺＣ）の近くもしくはその中で測定される電気レベル、のどちらかを表す異なる値の読み取りと、
−  各標的ゾーン（ＺＣ）の電気的応答または変形の回数の読み取りと、
−  請求項１１に記載の信号の各標的ゾーン（ＺＣ）のための較正であって、前記信号が互いと構成され、時間遅延が応答時間の読み取りに依存する、較正と
をさらに含むことを特徴とする、請求項１から１１のいずれか一項に記載の方法。
【請求項１３】
超音波心臓刺激システムであって、
−  心電図（ＥＣＧ）の獲得のために心臓の電気活動を測定するための手段と、
−  標的ゾーン（ＺＣ）内で集束超音波信号（ＦＵＳ）のビームを生成するための手段であって、前記信号が、心臓のゾーン内で電気刺激を生成するなどのために較正され、前記ビーム生成が心電図（ＥＣＧ）の第１の選択された時間と同期され、ビーム生成が、持続時間が８０ｍｓよりも短いパルスに対応する、生成するための手段と、
−  標的ゾーン（ＺＣ）内の集束超音波信号（ＦＵＳ）の前記ビームを制御するように集束ビーム（ＦＵＳ）を生成するための手段を位置決めするための手段に結合された標的ゾーン（ＺＣ）を位置特定するための手段であって、集束信号（ＦＵＳ）のビームを生成するための手段と同期された前記位置特定する手段と、
−  標的ゾーン（ＺＣ）内の温度および組織変形をリアルタイムで追従することが可能な単一モニタリング手段であって、心電図の調律と同期して測定を行う前記モニタリング手段と
を備える、超音波心臓刺激システム。
【請求項１４】
集束ゾーン内またはその近くのキャビテーションのレベル（ＡＣＱ＿ＣＡＶ）を検出するための超音波デバイス（ＳＹＳ＿ＣＡＶ）が、超音波信号のビームを生成するための手段によって放出された反射波を、超音波センサのおかげで測定しており、キャビテーションのレベル（ＡＣＱ＿ＣＡＶ）が、あらかじめ定義された損傷閾値と比較されることを特徴とする、請求項１３に記載の超音波心臓刺激システム。
【請求項１５】
位置決めシステムおよび温度をモニタするための手段が単一のＭＲＩイメージングシステムであることを特徴とする、請求項１３に記載の超音波心臓刺激システム。
【請求項１６】
超音波心臓刺激システムであって、
−  心電図（ＥＣＧ）を獲得するために心臓の電気活動を測定するための手段と、
−  標的ゾーン（ＺＣ）内の集束超音波信号（ＦＵＳ）のビームを生成するための手段であって、前記信号が、心臓のゾーン内で電気刺激を生成するなどのために較正され、前記ビーム生成が心電図（ＥＣＧ）の第１の選択された時間と同期される、生成するための手段と、
−  標的ゾーン（ＺＣ）内の集束超音波信号（ＦＵＳ）の前記ビームを制御するように、集束ビーム（ＦＵＳ）を生成するための手段を位置決めするための手段に結合された、標的ゾーン（ＺＣ）を位置特定するための手段であって、集束信号（ＦＵＳ）のビームを生成するための手段と同期された前記位置特定する手段と、
−  標的ゾーン（ＺＣ）内の温度および組織変形をリアルタイムで追従することが可能な単一モニタリング手段であって、心電図の調律と同期して測定を行う前記モニタリング手段と
を備え、
請求項１から１２のいずれか一項に記載のプロセスのステップを実施することを特徴とする
システム。
【請求項１７】
携帯超音波心臓刺激デバイスであって、超音波信号（ＲＥＳ＿ＵＳ）の発生器であることが必要な場合、少なくとも心拍周波数を示す心臓活動の測定を可能にする電気システム（ＳＹＳ＿ＥＬＥＣ＿１）を備える患者の皮膚と接触して固定されることを意図されており、機械的影響センサ（ＣＡＰＴ＿ＣＯＮＴＲＡＣＴ）が、心臓の収縮（ＡＣＱ＿ＣＯＮＴＲＡＣＴ）の存在を測定することを可能にし、前記携帯超音波心臓刺激デバイスが、電気システム（ＳＹＳ＿ＥＬＥＣ＿１）によって獲得される心臓周波数と同期可能な超音波信号の少なくとも１つのパルス列を定義する少なくとも１つの事前構成を備え、超音波信号の発生器をアクティブ化させるための手段を備える、デバイス。
【国際調査報告】
2017532090.tif 000013
2017532090.tif 000014
2017532090.tif 000015
2017532090.tif 000016
2017532090.tif 000017
2017532090.tif 000018
2017532090.tif 000019
2017532090.tif 000020
2017532090.tif 000021
2017532090.tif 000022
2017532090.tif 000023
2017532090.tif 000024